(57)【要約】【課題】回路規模を大きくせずに、かつ消費電力を抑制して、最適な階層のデジタル放送を選択して復調することが可能な放送復調装置を提供する。【解決手段】放送復調装置１は、デジタル放送の受信信号から特定の物理チャンネルの周波数成分を抽出することにより、物理チャンネルの選局処理を行うチューナ部３と、チューナ部３が抽出した周波数成分を有する受信信号に対して復調処理を行うＯＦＤＭ復調部４と、ＯＦＤＭ復調部４が復調処理を行った受信信号の受信品質を検出する受信品質検出部２９と、受信品質検出部２９が検出した受信品質を示す検出値に応じて階層を選択し、選択した階層に対応した処理を行うようにチューナ部３及びＯＦＤＭ復調部４を制御する階層切り替え制御部５と、を備えている。【選択図】図１
2010034854.tif 000002
【特許請求の範囲】
【請求項１】
同一の物理チャンネル内で１以上の階層が存在するデジタル放送を特定の階層で復調する復調装置であって、
上記デジタル放送の受信信号から特定の物理チャンネルの周波数成分を抽出することにより、当該物理チャンネルの選局処理を行う選局処理手段と、
上記選局処理手段が抽出した周波数成分を有する受信信号に対して復調処理を行う復調処理手段と、
上記復調処理手段が復調処理を行った上記受信信号の受信品質を検出する受信品質検出手段と、
上記受信品質検出手段が検出した上記受信品質を示す検出値に応じて上記階層を選択し、当該選択した階層に対応した処理を行うように上記選局処理手段及び上記復調処理手段を制御する階層制御手段と、を備えたことを特徴とする復調装置。
【請求項２】
上記階層制御手段は、
上記受信品質検出手段から受信した上記受信品質を示す検出値が、予め設定された閾値以上であるか否かを判定する判定手段と、
上記判定手段の判定結果に応じて上記階層を選択し、当該選択した階層を示す階層設定信号を上記選局処理手段及び上記復調処理手段に供給する階層設定手段と、を備えたことを特徴とする請求項１に記載の復調装置。
【請求項３】
上記判定手段には、上記閾値が複数設定されていることを特徴とする請求項２に記載の復調装置。
【請求項４】
上記受信品質検出手段は、上記受信品質を示す検出値として変調誤差比を求めることを特徴とする請求項１から３の何れか１項に記載の復調装置。
【請求項５】
上記受信品質検出手段は、変調誤差比から求められる判定指数を上記受信品質を示す検出値とすることを特徴とする請求項１から３の何れか１項に記載の復調装置。
【請求項６】
上記選局処理手段及び上記復調処理手段における動作クロックを制御するクロック信号を供給するクロック源をさらに備え、
上記階層制御手段は、上記クロック信号を上記選択した階層に応じて生成するように、上記クロック源を制御することを特徴とする請求項１から５の何れか１項に記載の復調装置。
【請求項７】
上記復調処理手段には、上記選局処理手段から供給される受信信号が有効であるか否かを示すイネーブル信号が供給されており、
上記階層制御手段は、上記イネーブル信号の有効期間の長さを上記選択した階層に応じて変更するように、上記復調処理手段を制御することを特徴とする請求項１から５の何れか１項に記載の復調装置。
【請求項８】
上記階層制御手段は、上記選択した階層に規定された周波数帯域幅にマージンを加えた値への変更指示を、上記選局処理手段に対して供給することを特徴とする請求項１から５の何れか１項に記載の復調装置。
【請求項９】
上記選局処理手段は、上記特定の物理チャンネルの周波数成分を抽出するためのフィルタを備え、
上記階層制御手段は、上記フィルタにおける上記受信信号の通過帯域幅を設定するために、上記変更指示を上記選局処理手段に供給することを特徴とする請求項８に記載の復調装置。
【請求項１０】
上記復調処理手段は、上記受信信号をベースバンド信号に変換して復調処理を行うベースバンド信号処理手段を備え、
上記階層制御手段は、上記選択した階層に規定された周波数帯域幅にマージンを加えた値への変更指示を、上記ベースバンド信号処理手段に対して供給することを特徴とする請求項１から５の何れか１項に記載の復調装置。
【請求項１１】
上記復調処理手段は、上記ベースバンド信号処理手段にて復調処理されたベースバンド信号に対して誤り訂正処理を行う誤り訂正処理手段をさらに備え、
上記階層制御手段は、上記選択した階層に規定された周波数帯域幅にマージンを加えた値への変更指示を、上記誤り訂正処理手段に対して供給することを特徴とする請求項１０に記載の復調装置。
【請求項１２】
上記ベースバンド信号処理手段は、周波数多重化された上記受信信号を復調するための高速フーリエ変換処理を行う高速フーリエ変換手段を備え、
上記階層制御手段は、上記高速フーリエ変換手段が上記高速フーリエ変換処理を行うときに必要とする上記受信信号の処理点数を上記選択した階層に応じて変更するための変更指示を、当該高速フーリエ変換手段に対して供給することを特徴とする請求項１０または１１に記載の復調装置。
【請求項１３】
上記ベースバンド信号処理手段は、上記受信信号に含まれるパイロット信号に基づいて、当該受信信号に含まれるデータ信号に対する波形等化処理を行う波形等化手段をさらに備え、
上記階層制御手段は、上記波形等化手段が上記波形等化処理を行うときに必要となる上記受信信号の処理キャリア数を上記選択した階層に応じて変更するための変更指示を、当該波形等化手段に供給することを特徴とする請求項１０から１２の何れか１項に記載の復調装置。
【請求項１４】
上記誤り訂正処理手段は、上記ベースバンド信号に対してデインターリーブ処理を行うデインターリーブ手段をさらに備え、
上記階層制御手段は、上記デインターリーブ手段が上記デインターリーブ処理を行うときに必要となる上記受信信号の処理キャリア数を上記選択した階層に応じて変更するための変更指示を、当該デインターリーブ手段に供給することを特徴とする請求項１１に記載の復調装置。
【請求項１５】
同一の物理チャンネル内で１以上の階層が存在するデジタル放送を特定の階層で復調する復調方法であって、
上記デジタル放送の受信信号から特定の物理チャンネルの周波数成分を抽出することにより、当該物理チャンネルの選局処理を行う選択処理ステップと、
上記選択処理ステップにて抽出された周波数成分を有する受信信号に対して復調処理を行う復調処理ステップと、
上記復調処理ステップにて復調処理が行われた上記受信信号の受信品質を検出する受信品質検出ステップと、
上記受信品質検出ステップにて検出された上記受信品質を示す検出値に応じて上記階層を選択し、当該選択した階層に対応した処理を行うように上記選択処理ステップ及び上記復調処理ステップにおける処理を制御する階層制御ステップと、を含むことを特徴とする復調方法。
【請求項１６】
請求項１から１４の何れか１項に記載の復調装置を動作させるための復調プログラムであって、上記各手段としてコンピュータを機能させるための復調プログラム。
【請求項１７】
請求項１６に記載の復調プログラムを記録したコンピュータ読取可能な記録媒体。
【発明の詳細な説明】
【技術分野】
【０００１】
本発明は、回路規模を大きくせずに、かつ消費電力を抑制して、最適な階層のデジタル放送を選択して復調することが可能な復調装置、復調方法、復調プログラム、及びコンピュータ読み取り可能な記録媒体に関する。
【背景技術】
【０００２】
地上波を用いる地上デジタルテレビジョン放送では、映像信号及び音声信号を効率よく伝送できる直交周波数分割多重方式（Orthogonal Frequency Division Multiplex；以下、ＯＦＤＭと称す）と呼ばれる伝送方式が用いられている。
【０００３】
具体的には、このデジタル放送波を受信するデジタル放送受信装置は、家屋内に固定的に設置される据え置き型の受信装置（以下、固定型受信装置と称する）の他に、受信機能を有する携帯機器、又は車などの移動体において使用されることを目的とした受信装置（以下、可搬型受信装置と称する）として利用されることが想定されている。このため、上記デジタル放送では、単一の伝送路符号化での放送だけでなく、複数の異なる伝送路符号化を用いる階層伝送を行うことが考えられている。
【０００４】
この階層伝送において、地上デジタルテレビジョン放送に関する伝送方式の標準規格ＡＲＩＢ  ＳＴＤ-Ｂ３１では、サービス統合地上デジタル放送（ＩＳＤＢ−Ｔ（Integrated Services Digital Broadcasting - Terrestrial））を規定している（非特許文献１参照）。ＩＳＤＢ−Ｔとは、放送が行われる１つの物理チャンネルの伝送帯域を１３個の周波数帯域（ＯＦＤＭセグメント）に分割し、当該帯域ごとに、伝送パラメータ及び伝送する情報を設定する方式である。
【０００５】
具体的には、ＩＳＤＢ−Ｔでは、上記ＯＦＤＭセグメントを最大３つの階層（所要Ｃ／Ｎ比（Carrier to Noise Ratio）が低い順に、強階層、中階層及び弱階層）に分割されており、例えば可搬型受信装置向けには強階層放送及び／又は中階層放送が行われる。すなわち、ＩＳＤＢ−Ｔでは、固定型受信装置は全階層の受信が可能なように構成される一方で、可搬型受信装置は強階層及び／または中階層の受信が可能なように構成される。なお、可搬型受信装置のうち、移動体用受信装置（例えば車載用受信装置）は中階層及び強階層の受信が可能なように構成されており、携帯型受信装置（例えば携帯電話機、ＰＤＡ（Personal Digital Assistant）に搭載される受信装置）は強階層の受信が可能なように構成されている。
【０００６】
また、日本では、上記規格に基づく地上デジタル放送が２００３年１２月から開始されている。この日本における地上デジタル放送では、上記１つの物理チャンネル帯域内の１３セグメントのうち、１セグメントを利用するワンセグ放送と残りの１２セグメントを利用する固定放送とが行われており、当該ワンセグ放送が携帯型受信装置向けに、当該固定放送が固定型受信装置向けに放送されている。なお、これら２つのデジタル放送は、現在、同一の映像及び音声でサイマル放送されている。
【０００７】
上記ワンセグ放送は、図１０に示すように、１３セグメントの周波数帯域（５．５７ＭＨｚ）の中央に位置する１セグメント（０．４３ＭＨｚ）を利用した放送である。ワンセグ放送は、表１に示すように、固定放送よりも所要Ｃ／Ｎ比が１０ｄＢ以上小さいので、雑音及びフェージングへの耐性が強い。このため、ワンセグ放送は、携帯型受信装置向けに特化した放送であるといえる。また、ワンセグ放送は、表１に示すように、少ないデータ量で動画を伝送するための画像圧縮方式（画像圧縮規格）としてＨ．２６４方式を用いている。このＨ．２６４方式は、例えば上記固定放送に用いられるＭＰＥＧ−２方式の２倍以上の圧縮効率を実現するものである。このため、ワンセグ放送は、携帯型受信装置においても、従来のアナログ放送では実現できなかった高品質の映像及び音声を提供することが可能である。なお、図１０は、ＯＦＤＭにおける階層構造を説明するための図である。また、以下の表１は、ワンセグ放送と固定放送との放送パラメータを示すものである。
【０００８】
【表１】
2010034854.tif 000003
【０００９】
ここで、ＯＦＤＭ伝送方式を用いたデジタル放送を送信する送信側（デジタル放送の放送局）での処理について説明する。送信側では、ＱＰＳＫ方式、１６ＱＡＭ方式又は６４ＱＡＭ方式による変調方式を用いることによって、送信するデジタル放送の放送波のデジタル信号列を数ビットにまとめて複素信号にマッピングする。次に、マッピングされたＮ個の複素信号に対して逆高速フーリエ変換（ＩＦＦＴ：Inverse Fast Fourier Transform）することによって、ベースバンドＯＦＤＭ信号が得られる。
【００１０】
ＯＦＤＭ信号に含まれる各伝送シンボルは、複数のセグメントに分割されており、各セグメントには、データキャリア、ＳＰ（Scattered Pilot）キャリア、ＴＭＣＣ（Transmission and Multiplexing Configuration Control）キャリア、ＡＣ（Auxiliary Channel）１キャリア及びＡＣ２キャリアが含まれている。
【００１１】
ＳＰキャリアは、ＯＦＤＭ信号に対する波形等化の基準として用いられるＳＰ信号を伝送するためのキャリアであり、各伝送フレームに周期的に挿入される。このＳＰキャリアが配置される周期は予め定められており、具体的には、当該ＳＰキャリアは、ＯＦＤＭ信号のセグメント構成におけるキャリア方向について１２キャリアに１つ、シンボル方向について４シンボルに１つの周期で挿入される。
【００１２】
ＴＭＣＣキャリアは、同期ワード及び伝送パラメータを含むＴＭＣＣ信号を伝送するためのキャリアである。ＡＣ１キャリア又はＡＣ２キャリアは、付加情報を伝送するためのＡＣ１信号又はＡＣ２信号を伝送するためのキャリアである。ＴＭＣＣキャリア、ＡＣ１キャリア及びＡＣ２キャリアは、ＳＰキャリアとは異なり、各伝送フレームに非周期的に挿入される。
【００１３】
上述のように地上デジタルテレビジョン放送では、携帯型受信装置（又は移動体用受信装置）での受信を実現しているが、以下の問題が生じる。具体的には、携帯型受信装置によるデジタル放送の受信では、フェージング、インパルスノイズ、マルチパス、Ｃ／Ｎ比の劣化などにより受信品質の劣化が増大する場合がある。特に、受信品質の劣化の度合いは、携帯型受信装置の移動速度が大きくなるにつれて増大する。そして、この受信品質が大幅に劣化した場合には、携帯型受信装置は、受信したデジタル放送の誤り訂正を行うことができず、映像及び音声の劣化を防ぐことができないという問題を生じる。
【００１４】
従って、地上デジタルテレビジョン放送では、携帯型受信装置が、高品質な階層（固定放送）を受信した場合には、上記のような受信品質の劣化に伴う映像及び音声の乱れ（例えば映像に関していえばゴースト障害）を増大させてしまうという問題を生じる。そこで、特許文献１には、この問題を解決するために、高品質な階層のデジタル放送の受信品質が劣化した場合に、受信可能な階層又は受信可能なチャンネルの信号に切り替えるデジタル放送受信装置が開示されている。
【００１５】
図１１は、特許文献１に開示されたデジタル放送受信装置１００の概略構成を示すブロック図である。図１１に示すように、デジタル放送受信装置１００は、同一の物理チャンネル内に１以上の階層が存在するデジタル放送を受信するアンテナ１０１、復調器１０２、モニタ１１３、アンプ１１５及びスピーカー１１７を備えている。デジタル放送受信装置１００の復調器１０２は、アンテナ１０１で受信した受信信号から選局チャンネルの信号を抽出し、当該信号に対して復調処理を行う。復調処理された映像信号及び音声信号は、それぞれモニタ１１３及びアンプ１１５に出力される。
【００１６】
また、復調器１０２は、周波数選局部１０３と、階層１復調部１０７ａ、階層２復調部１０７ｂ、・・・、階層Ｎ復調部１０７ｎ（以下、これらを階層復調部１０７と称する）と、受信品質判定部１０８と、切り替え部１０９と、モード表示部１１１とを備えている。
【００１７】
階層復調部１０７は、周波数選局部１０３が抽出した選局チャンネルの信号に対して階層ごとに復調処理を行う。受信品質判定部１０８は、階層ごとに復調処理された信号の受信品質を判定する。切り替え部１０９は、受信品質判定部１０８から出力される最適な受信階層を示す情報に基づいて、階層復調部１０７のうちの１つを選択する。モード表示部１１１は、切り替え部１０９の選択した階層復調部１０７から出力される信号をモニタ１１３及びアンプ１１５に送信する。
【００１８】
この構成によれば、デジタル放送受信装置１００は、高品質な階層のデジタル放送の受信品質が劣化した場合であっても、受信可能な階層又は受信可能なチャンネルの信号に切り替えることができる。
【特許文献１】特開２０００−１６５７６６号公報（平成１２年６月１６日公開）
【非特許文献１】社団法人電波産業界、「地上デジタルテレビジョン放送の伝送方式ＡＲＩＢ  ＳＴＤ−Ｂ３１  １．５版」、２００１年５月３１日初版策定、２００３年７月２９日１．５版改定
【非特許文献２】Jae S. Lim, Alan V. Oppenheim 著，青山友紀訳、「現代ディジタル信号処理理論とその応用」、丸善出版、１９９９年１２月
【発明の開示】
【発明が解決しようとする課題】
【００１９】
しかしながら、ユーザが携帯電話機に使用されている小さいモニタでワンセグ放送を視聴する場合、特に動画の場合には、デジタル放送特有のブロックノイズが現れやすいという問題が生じる。また、小さいモニタを有する携帯電話機であっても、高精細な固定放送を視聴したいというユーザのニーズがある。
【００２０】
上述のように、雑音及びフェージングへの耐性が強いワンセグ放送の実施により、ユーザは、広範囲において、携帯電話機を利用してデジタル放送を視聴できるようになった。しかし、ワンセグ放送の伝送レートは、表１に示すように、固定放送の約１／４０である。
【００２１】
一般に、デジタル放送における映像の品質は、送信されるデジタル放送の伝送レートで決まるものであり、当該伝送レートは、変調方式及び符号化率によって決まる。具体的には、受信装置では、伝送レートが大きい場合には、動画のフレームレートが高くなると共に映像の画質も高精細となる一方、伝送レートが小さい場合には、動画のフレームレートが低くなると共に映像の画質も粗くなる。すなわち、固定放送よりも伝送レートの低いワンセグ放送では、雑音及びフェージングへの耐性を強くすることによって携帯電話機でデジタル放送を視聴することを可能としたが、より高精細な映像を提供するためには上述のブロックノイズへの対策をさらに講じる必要がある。
【００２２】
また、受信装置が移動体用受信装置である場合には、回路規模及び消費電力にはそれほどの制約がない。しかしながら、携帯電話機などに搭載される携帯型受信装置の場合には、当該携帯型受信装置の部品の面積、厚みなどのサイズ、及び当該携帯型受信装置に使用できる消費電力量は制約を受けることとなる。
【００２３】
ここで、特許文献１のデジタル放送受信装置１００は、放送パラメータが異なる複数の階層で構成されるデジタル放送を受信して復調する。このため、デジタル放送受信装置１００は、図１１に示すように、階層復調部１０７が複数の階層復調部１０７ａ〜１０７ｎを並列に配置した構成となっている。すなわち、デジタル放送受信装置１００では、複数の階層復調部１０７ａ〜１０７ｎが並列に配置された分、回路規模が大きくなり部品サイズも大きくなってしまうという問題が生じる。
【００２４】
また、デジタル放送受信装置１００では、並列に実装された階層復調部１０７ａ〜１０７ｎが同時に復調処理を行う。このため、デジタル放送受信装置１００では、階層復調部１０７ａ〜１０７ｎのうち最適な階層の信号の復調処理を行う階層復調部だけを動作可能とする構成と比べると、消費電力が大きくなってしまうという問題が生じる。なお、一般に、伝送レートが高い階層を復調する階層復調部の回路規模及び消費電力は、伝送レートが低い階層を復調する階層復調部の回路規模及び消費電力よりも大きくなる。
【００２５】
さらに、デジタル放送受信装置１００では、切り替え部１０９での階層の選択処理に関わらずどの階層に対しても同じように処理を行うので、伝送レートの低い階層を復調するときの消費電力量は、伝送レートの高い階層を復調するときの消費電力量とが同じとなってしまう。このため、デジタル放送受信装置１００では、伝送レートが低い階層を復調する場合であっても伝送レートが高い階層を復調する場合と同じ消費電力量であるため、消費電力の無駄が生じてしまうという問題が生じる。
【００２６】
本発明は、上記問題点に鑑みてなされたものであり、その目的は、回路規模を大きくせずに、かつ消費電力を抑制して、デジタル放送の最適な階層を選択して復調することが可能な放送復調装置、放送復調方法、放送復調プログラム、及びコンピュータ読み取り可能な記録媒体を提供することにある。
【課題を解決するための手段】
【００２７】
本発明に係る復調装置は、上記課題を解決するため、同一の物理チャンネル内で１以上の階層が存在するデジタル放送を特定の階層で復調する復調装置であって、上記デジタル放送の受信信号から特定の物理チャンネルの周波数成分を抽出することにより、当該物理チャンネルの選局処理を行う選局処理手段と、上記選局処理手段が抽出した周波数成分を有する受信信号に対して復調処理を行う復調処理手段と、上記復調処理手段が復調処理を行った上記受信信号の受信品質を検出する受信品質検出手段と、上記受信品質検出手段が検出した上記受信品質を示す検出値に応じて上記階層を選択し、当該選択した階層に対応した処理を行うように上記選局処理手段及び上記復調処理手段を制御する階層制御手段と、を備えたことを特徴とする。
【００２８】
本発明に係る復調方法は、上記課題を解決するため、同一の物理チャンネル内で１以上の階層が存在するデジタル放送を特定の階層で復調する復調方法であって、上記デジタル放送の受信信号から特定の物理チャンネルの周波数成分を抽出することにより、当該物理チャンネルの選局処理を行う選択処理ステップと、上記選択処理ステップ抽出された周波数成分を有する受信信号に対して復調処理を行う復調処理ステップと、上記復調処理ステップにて復調処理が行われた上記受信信号の受信品質を検出する受信品質検出ステップと、上記受信品質検出ステップが検出した上記受信品質を示す検出値に応じて上記階層を選択し、当該選択した階層に対応した処理を行うように上記選択処理ステップ及び上記復調処理ステップにおける処理を制御する階層制御ステップと、を含むことを特徴とする。
【００２９】
上記構成によれば、復調装置では、選局処理手段がデジタル放送の受信信号に対する選局処理を行い、復調処理手段が当該選局処理された受信信号に対して復調処理を行う。さらに、復調装置では、受信品質検出手段が復調処理の行われた受信信号の受信品質を検出すると、階層制御手段が当該受信品質を示す検出値に応じて階層を選択し、当該選択した階層に対応した処理を行うように選局処理手段及び復調処理手段を制御する。
【００３０】
これにより、階層制御手段が選局処理手段及び復調処理手段において処理されるデジタル放送の階層を選択することにより、復調装置は、視聴に最適な階層構成でデジタル放送を復調できる。すなわち復調装置は、例えば１セグメントを利用するワンセグ放送と１３セグメントを利用する固定放送との階層構成を有するデジタル放送を受信する場合に、受信環境がよい場合には固定放送を復調することができ、受信環境が悪い場合にはワンセグ放送を復調することができる。
【００３１】
また、復調装置は、上述のような処理を行う階層制御手段を備えたため、デジタル放送を受信したときに、復調処理手段が複数の階層の受信信号全てについて復調処理を行う必要がない。すなわち、復調装置は、階層制御手段が選択した階層の受信信号に対してのみ復調処理を行うだけであっても、視聴に最適な階層構成でデジタル放送を復調できる。
【００３２】
つまり、復調装置は、デジタル放送を受信したときに、複数の階層の受信信号全てを復調処理する必要がないので、復調処理手段を構成する回路を階層ごとに設けなくても、視聴に最適な階層構成でデジタル放送を復調できる。すなわち、復調装置は、複数の階層の受信信号全てについて復調処理を行い、これら全ての受信信号の受信品質を検出して階層を選択する構成に比べて、その回路規模及び部品サイズを小さくすることができる。
【００３３】
さらに、復調装置は、視聴に最適な階層構成でデジタル放送を復調できるので、各階層専用の復調装置だけを用いた場合の消費電力と同じにすることができる。すなわち、復調装置の消費電力量は、例えば上記ワンセグ放送及び固定放送の階層構成を有するデジタル放送を受信する場合に、固定放送を復調するときには固定放送専用の復調装置と同じ値となり、ワンセグ放送を復調するときにはワンセグ放送専用の復調装置と同じ値となる。つまり、復調装置は、ワンセグ放送を復調するときには、固定放送を復調するときよりも消費電力を抑制することができる。
【００３４】
従って、復調装置は、回路規模を大きくせずに、かつ消費電力を抑制して、デジタル放送の最適な階層を選択して復調することができる。すなわち、放送復調装置１は、回路規模を大きくせずに、かつ消費電力を抑制して、視聴に最適な階層構成でデジタル放送を復調できる。なお、復調装置の制御方法を示す復調方法についても、上述より、同様の効果を奏する。
【００３５】
さらに、本発明に係る復調装置は、上記階層制御手段は、上記受信品質検出手段から受信した上記受信品質を示す検出値が、予め設定された閾値以上であるか否かを判定する判定手段と、上記判定手段の判定結果に応じて上記階層を選択し、当該選択した階層を示す階層設定信号を上記選局処理手段及び上記復調処理手段に供給する階層設定手段と、を備えたことが好ましい。
【００３６】
上記構成によれば、階層制御手段では、判定手段が受信品質を示す検出値が予め設定された閾値以上であるか否かを判定し、階層設定手段がこの判定結果に応じて階層を選択し、この選択した階層を示す階層設定信号を選局処理手段及び復調処理手段に供給する。なお、上記閾値としては、階層制御手段がデジタル放送の最適な階層を選択可能な基準を満たすものであれば、どのような値が設定されていてもよい。
【００３７】
これにより、階層制御手段は、判定結果に応じて選択した階層に対応した処理を行うように選局処理手段及び復調処理手段を制御することができる。
【００３８】
さらに、本発明に係る復調装置は、上記判定手段には、上記閾値が複数設定されていることが好ましい。
【００３９】
上記構成によれば、判定手段に閾値が複数設定されていることにより、１つだけ閾値が設定されている場合に比べて、階層の選択の頻度を低減させることができる。
【００４０】
また一般に、上記受信品質を示す検出値が閾値付近で変化する場合には、復調装置が階層を切り替えずにデジタル放送を受信した場合であっても、復調処理手段からの出力には誤りが発生しないか、発生しても極僅かである場合が多い。このため、復調装置は、デジタル放送の受信率の安定化を図ることができる。
【００４１】
さらに、本発明に係る復調装置は、上記受信品質検出手段は、上記受信品質を示す検出値として変調誤差比を求めることが好ましい。
【００４２】
上記構成によれば、復調装置では、受信品質検出手段が複数の階層を含むデジタル放送を受信した場合に、受信品質を示す検出値として変調誤差比を求め、階層制御手段は、この変調誤差比が予め設定された閾値以上であるか否かを判定することにより階層の選択を行う。これにより、階層制御手段は、精度よく階層の選択を行うことができる。
【００４３】
なお、階層制御手段が変調誤差比を用いての判定を行う場合、階層制御手段には上記閾値として、例えば所要Ｃ／Ｎ比が設定されている。
【００４４】
さらに、本発明に係る復調装置は、上記受信品質検出手段は、変調誤差比から求められる判定指数を上記受信品質を示す検出値とすることが好ましい。
【００４５】
上記構成によれば、復調装置では、受信品質検出手段が複数の階層を含むデジタル放送を受信した場合に、変調誤差比から判定指数を求め、この判定指数を受信品質を示す検出値とする。この判定指数としては、変調誤差比の微分値、積分値、補間値、フィルタ出力値などが挙げられる。そして、階層制御手段は、この変調誤差比が予め設定された閾値以上であるか否かを判定することにより階層の選択を行う。これにより、階層制御手段は、精度よく階層の選択を行うことができる。
【００４６】
なお、階層制御手段が上記判定指数を用いての判定を行う場合、階層制御手段には上記閾値として、例えば所要Ｃ／Ｎ比が設定されている。
【００４７】
さらに、本発明に係る復調装置は、上記選局処理手段及び上記復調処理手段における動作クロックを制御するクロック信号を供給するクロック源をさらに備え、上記階層制御手段は、上記クロック信号を上記選択した階層に応じて生成するように、上記クロック源を制御することが好ましい。
【００４８】
上記構成によれば、階層制御手段は、選択した階層に応じてクロック信号を生成するようにクロック源を制御する。例えば階層制御手段には、各階層に対応付けてクロック源で生成されるクロック信号のクロック周波数が設定されており、階層制御手段は、このクロック周波数に設定するための指示信号をクロック源に供給することによって制御する。
【００４９】
一般に、装置を構成する回路の消費電力は、動作クロックのクロック周波数に比例する。すなわち、復調装置における消費電力は、クロック源で生成される動作クロックのクロック周波数に比例するといえる。
【００５０】
このため、階層制御手段は、選択した階層にあわせてクロック源で生成されるクロック信号のクロック周波数を変更することによって、復調装置では、復調装置における消費電力を制御することができる。
【００５１】
すなわち、復調装置の消費電力量は、例えば上記ワンセグ放送及び固定放送の階層構成を有するデジタル放送を受信する場合に、固定放送を復調するときには固定放送専用の復調装置と同じ値となり、ワンセグ放送を復調するときにはワンセグ放送専用の復調装置と同じ値となる。つまり、復調装置は、ワンセグ放送を復調するときには、固定放送を復調するときよりも消費電力を抑制することができる。
【００５２】
さらに、本発明に係る復調装置は、上記復調処理手段には、上記選局処理手段から供給される受信信号が有効であるか否かを示すイネーブル信号が供給されており、上記階層制御手段は、上記イネーブル信号の有効期間の長さを上記選択した階層に応じて変更するように、上記復調処理手段を制御することが好ましい。
【００５３】
上記構成によれば、階層制御手段は、選択した階層に応じてイネーブル信号の有効期間の長さを変更するように復調処理手段を制御する。例えば階層制御手段は、各階層に対応付けてイネーブル信号の有効期間の長さが設定されており、この有効期間の長さを示す値への変更指示を復調処理手段に供給する。
【００５４】
これにより、階層制御手段は、選択した階層にあわせてイネーブル信号の有効期間の長さを変更することによって、復調装置では、復調装置における消費電力を制御することができる。
【００５５】
すなわち、復調装置の消費電力量は、例えば上記ワンセグ放送及び固定放送の階層構成を有するデジタル放送を受信する場合に、固定放送を復調するときには固定放送専用の復調装置と同じ値となり、ワンセグ放送を復調するときにはワンセグ放送専用の復調装置と同じ値となる。つまり、復調装置は、ワンセグ放送を復調するときには、固定放送を復調するときよりも消費電力を抑制することができる。
【００５６】
さらに、本発明に係る復調装置は、上記階層制御手段は、上記選択した階層に規定された周波数帯域幅にマージンを加えた値への変更指示を、上記選局処理手段に対して供給することが好ましい。
【００５７】
上記構成によれば、選局処理手段における消費電力を各階層専用の選局処理手段と同じ消費電力にすることができる。例えば上記ワンセグ放送及び固定放送の階層構成を有するデジタル放送を受信する場合に、固定放送を復調するときには固定放送専用の選局処理手段と同じ値となり、ワンセグ放送を復調するときにはワンセグ放送専用の選局処理手段と同じ値となる。つまり、復調装置は、ワンセグ放送を復調するときには、固定放送を復調するときよりも消費電力を抑制することができる。
【００５８】
また、階層制御手段が選択した階層に規定された周波数帯域幅にマージンを加えた値への変更を選局処理手段に促すので、復調装置は、受信信号にキャリア周波数誤差が重畳されることを防ぐことができる。
【００５９】
さらに、本発明に係る復調装置は、上記選局処理手段は、上記特定の物理チャンネルの周波数成分を抽出するためのフィルタを備え、上記階層制御手段は、上記フィルタにおける上記受信信号の通過帯域幅を設定するために、上記変更指示を上記選局処理手段に供給することが好ましい。
【００６０】
上記構成によれば、階層制御手段は、選択した階層にあわせて上記変更指示を選局処理手段に供給することによって、フィルタにおける受信信号の通過帯域幅を設定することができる。このため、復調装置は、選局処理手段における消費電力を制御することができる。
【００６１】
さらに、本発明に係る復調装置は、上記復調処理手段は、上記受信信号をベースバンド信号に変換して復調処理を行うベースバンド信号処理手段を備え、上記階層制御手段は、上記選択した階層に規定された周波数帯域幅にマージンを加えた値への変更指示を、上記ベースバンド信号処理手段に対して供給することが好ましい。
【００６２】
上記構成によれば、復調処理手段に備えられたベースバンド信号処理手段における消費電力を各階層専用のベースバンド信号処理手段と同じ消費電力にすることができる。例えば上記ワンセグ放送及び固定放送の階層構成を有するデジタル放送を受信する場合に、固定放送を復調するときには固定放送専用のベースバンド信号処理手段と同じ値となり、ワンセグ放送を復調するときにはワンセグ放送専用のベースバンド信号処理手段と同じ値となる。つまり、復調装置は、ワンセグ放送を復調するときには、固定放送を復調するときよりも消費電力を抑制することができる。
【００６３】
また、階層制御手段が選択した階層に規定された周波数帯域幅にマージンを加えた値への変更をベースバンド信号処理手段に促すので、復調装置は、受信信号にキャリア周波数誤差が重畳されることを防ぐことができる。
【００６４】
さらに、本発明に係る復調装置は、上記復調処理手段は、上記ベースバンド信号処理手段にて復調処理されたベースバンド信号に対して誤り訂正処理を行う誤り訂正処理手段をさらに備え、上記階層制御手段は、上記選択した階層に規定された周波数帯域幅にマージンを加えた値への変更指示を、上記誤り訂正処理手段に対して供給することが好ましい。
【００６５】
上記構成によれば、復調処理手段に備えられた誤り訂正処理手段における消費電力を各階層専用の誤り訂正処理手段と同じ消費電力にすることができる。例えば上記ワンセグ放送及び固定放送の階層構成を有するデジタル放送を受信する場合に、固定放送を復調するときには固定放送専用の誤り訂正処理手段と同じ値となり、ワンセグ放送を復調するときにはワンセグ放送専用の誤り訂正処理手段と同じ値となる。つまり、復調装置は、ワンセグ放送を復調するときには、固定放送を復調するときよりも消費電力を抑制することができる。
【００６６】
また、階層制御手段が選択した階層に規定された周波数帯域幅にマージンを加えた値への変更を誤り訂正処理手段に促すので、復調装置は、受信信号にキャリア周波数誤差が重畳されることを防ぐことができる。
【００６７】
さらに、本発明に係る復調装置は、上記ベースバンド信号処理手段は、周波数多重化された上記受信信号を復調するための高速フーリエ変換処理を行う高速フーリエ変換手段を備え、上記階層制御手段は、上記高速フーリエ変換手段が上記高速フーリエ変換処理を行うときに必要とする上記受信信号の処理点数を上記選択した階層に応じて変更するための変更指示を、当該高速フーリエ変換手段に対して供給することが好ましい。
【００６８】
上記構成によれば、階層制御手段は、選択した階層にあわせて、ベースバンド信号処理手段に備えられた高速フーリエ変換手段における高速フーリエ変換処理の処理点数を変更することによって、高速フーリエ変換手段における消費電力を制御することができる。
【００６９】
すなわち、高速フーリエ変換手段における消費電力を各階層専用の高速フーリエ変換手段と同じ消費電力にすることができる。例えば上記ワンセグ放送及び固定放送の階層構成を有するデジタル放送を受信する場合に、固定放送を復調するときには固定放送専用の高速フーリエ変換手段と同じ値となり、ワンセグ放送を復調するときにはワンセグ放送専用の高速フーリエ変換手段と同じ値となる。つまり、復調装置は、ワンセグ放送を復調するときには、固定放送を復調するときよりも消費電力を抑制することができる。
【００７０】
さらに、本発明に係る復調装置は、上記ベースバンド信号処理手段は、上記受信信号に含まれるパイロット信号に基づいて、当該受信信号に含まれるデータ信号に対する波形等化処理を行う波形等化手段をさらに備え、上記階層制御手段は、上記波形等化手段が上記波形等化処理を行うときに必要となる上記受信信号の処理キャリア数を上記選択した階層に応じて変更するための変更指示を、当該波形等化手段に供給することが好ましい。
【００７１】
上記構成によれば、階層制御手段は、選択した階層にあわせて、ベースバンド信号処理手段に備えられた波形等化手段における波形等化処理の処理キャリア数を変更することによって、波形等化手段における消費電力を制御することができる。
【００７２】
すなわち、波形等化手段における消費電力を各階層専用の波形等化手段と同じ消費電力にすることができる。例えば上記ワンセグ放送及び固定放送の階層構成を有するデジタル放送を受信する場合に、固定放送を復調するときには固定放送専用の波形等化手段と同じ値となり、ワンセグ放送を復調するときにはワンセグ放送専用の波形等化手段と同じ値となる。つまり、復調装置は、ワンセグ放送を復調するときには、固定放送を復調するときよりも消費電力を抑制することができる。
【００７３】
さらに、本発明に係る復調装置は、上記誤り訂正処理手段は、上記ベースバンド信号に対してデインターリーブ処理を行うデインターリーブ手段をさらに備え、上記階層制御手段は、上記デインターリーブ手段が上記デインターリーブ処理を行うときに必要となる上記受信信号の処理キャリア数を上記選択した階層に応じて変更するための変更指示を、当該デインターリーブ手段に供給することが好ましい。
【００７４】
上記構成によれば、階層制御手段は、選択した階層にあわせて、誤り訂正処理手段に備えられたデインターリーブ手段におけるデインターリーブ処理の処理キャリア数を変更することによって、デインターリーブ手段における消費電力を制御することができる。
【００７５】
すなわち、デインターリーブ手段における消費電力を各階層専用のデインターリーブ手段と同じ消費電力にすることができる。例えば上記ワンセグ放送及び固定放送の階層構成を有するデジタル放送を受信する場合に、固定放送を復調するときには固定放送専用のデインターリーブ手段と同じ値となり、ワンセグ放送を復調するときにはワンセグ放送専用のデインターリーブ手段と同じ値となる。つまり、復調装置は、ワンセグ放送を復調するときには、固定放送を復調するときよりも消費電力を抑制することができる。
【００７６】
なお、上記復調装置は、コンピュータによって実現してもよく、この場合には、コンピュータを上記各手段として動作させることにより上記復調装置をコンピュータにて実現させる放送復調装置の制御プログラム、およびそれを記録したコンピュータ読み取り可能な記録媒体も、本発明の範疇に入る。
【発明の効果】
【００７７】
本発明に係る復調装置は、以上のように、上記デジタル放送の受信信号から特定の物理チャンネルの周波数成分を抽出することにより、当該物理チャンネルの選局処理を行う選局処理手段と、上記選局処理手段が抽出した周波数成分を有する受信信号に対して復調処理を行う復調処理手段と、上記復調処理手段が復調処理を行った上記受信信号の受信品質を検出する受信品質検出手段と、上記受信品質検出手段が検出した上記受信品質を示す検出値に応じて上記階層を選択し、当該選択した階層に対応した処理を行うように上記選局処理手段及び上記復調処理手段を制御する階層制御手段と、を備えた構成である。
【００７８】
また、本発明に係る復調方法は、以上のように、上記デジタル放送の受信信号から特定の物理チャンネルの周波数成分を抽出することにより、当該物理チャンネルの選局処理を行う選択処理ステップと、上記選択処理ステップ抽出された周波数成分を有する受信信号に対して復調処理を行う復調処理ステップと、上記復調処理ステップにて復調処理が行われた上記受信信号の受信品質を検出する受信品質検出ステップと、上記受信品質検出ステップが検出した上記受信品質を示す検出値に応じて上記階層を選択し、当該選択した階層に対応した処理を行うように上記選択処理ステップ及び上記復調処理ステップにおける処理を制御する階層制御ステップと、を含む方法である。
【００７９】
それゆえ、上記復調装置及び復調方法では、回路規模を大きくせずに、かつ消費電力を抑制して、デジタル放送の最適な階層を選択して復調することができる。すなわち、放送復調装置１は、回路規模を大きくせずに、かつ消費電力を抑制して、視聴に最適な階層構成でデジタル放送を復調できる。
【発明を実施するための最良の形態】
【００８０】
本発明の各実施形態について図１〜図９に基づいて説明すると以下の通りである。
【００８１】
〔実施形態１〕
〔放送復調装置１の概略構成（全体構成）〕
まず、本発明に係る放送復調装置の概略構成について図１を用いて説明する。図１は、本発明に係る放送復調装置１の概略構成を示すブロック図である。
【００８２】
放送復調装置（復調装置）１は、アンテナ２が放送局から出力される、同一の物理チャンネル内で１以上の階層が存在するデジタル放送を受信すると、当該デジタル放送のうち、所望のチャンネルのデジタル放送を示す受信信号を選局して、当該受信信号を復調するものである。また、放送復調装置１は、復調した受信信号をトランスポートストリームパケット（Transport Stream Packet；以下、ＴＳＰと称す）として、後段のモニタ（図示しない）及びアンプ（図示しない）に出力するものである。なお、放送復調装置１は、サービス統合地上デジタル放送（ＩＳＤＢ−Ｔ）で規定された直交周波数分割多重方式（ＯＦＤＭ）によって伝送されるデジタル放送波を受信し、復調するものである。
【００８３】
また、放送復調装置１は、例えば家屋内に固定的に設置される据え置き型の受信装置（固定型受信装置）、デジタル放送を受信する機能を有する携帯機器に搭載された受信装置（携帯型受信装置）、車などの移動体に搭載された受信装置（移動体用受信装置）に搭載されるものである。なお、固定型受信装置としてはテレビ受像機など、携帯型受信装置としては携帯電話機、ＰＤＡなど、移動体用受信装置としては車載用の受信装置などが挙げられる。
【００８４】
放送復調装置１は、チューナ部（選局処理手段）３と、ＯＦＤＭ復調部（復調処理手段）４と、クロック源８とを備えている。また、ＯＦＤＭ復調部４は、ベースバンド信号処理部６（以下、ＢＢ部と称す；ベースバンド信号処理手段）と誤り訂正処理部（以下、ＦＥＣ部と称す；誤り訂正処理手段）７とを備えている。
【００８５】
チューナ部３は、デジタル放送の受信信号から特定の物理チャンネルの周波数成分を抽出することにより、当該物理チャンネルの選局処理を行うものである。具体的には、チューナ部３は、アンテナ２が受信した放送波である高周波（Radio Frequency；以下、ＲＦと称す）信号を受信すると、当該ＲＦ信号の周波数成分から、ユーザ所望のチャンネルを選局するための周波数成分を抽出するものである。すなわち、チューナ部３は、ユーザ所望のチャンネルを選局するものである。また、チューナ部３は、選局した所望のチャンネルを示すＲＦ信号を周波数帯域の中間周波（Intermediate Frequency；以下、ＩＦと称す）信号に変換して、当該ＩＦ信号をＯＦＤＭ復調部４に供給する。
【００８６】
ＯＦＤＭ復調部４は、チューナ部３からＩＦ信号を受信すると、当該ＩＦ信号を復調する。すなわち、ＯＦＤＭ復調部４は、上記チューナ部３が抽出した周波数成分を有する受信信号に対して復調処理を行うものである。具体的には、ＯＦＤＭ復調部４は、ＢＢ部６及びＦＥＣ部７における処理により、複数のキャリアが周波数多重されたＩＦ信号から各キャリアの情報を抽出し、ＴＳＰを生成する。なお、ＢＢ部６及びＦＥＣ部７については後述する。
【００８７】
クロック源８は、放送復調装置１全体に動作クロックを制御するクロック信号を供給するものである。具体的には、クロック源８は、チューナ部３とＯＦＤＭ復調部４（ＢＢ部６及びＦＥＣ部７）とに接続されたクロック線４０を介して、生成したクロック信号を各部に供給する。
【００８８】
以下、チューナ部３及びＯＦＤＭ復調部４について図２及び図３を用いてより詳細に説明する。
【００８９】
〔チューナ部３の概略構成〕
チューナ部３は、図２に示すように、第１のフィルタ１１、第１の可変利得増幅部１２、周波数変換部１３、第２のフィルタ（フィルタ）１４及び第２の可変利得増幅部１５を備えている。なお、図２は、放送復調装置１に備えられたチューナ部３の概略構成を示すブロック図である。
【００９０】
第１のフィルタ１１は、アンテナ２から受信するＲＦ信号から、デジタル放送の放送波以外のＲＦ信号を取り除く（すなわち必要な周波数成分を抽出する）ためのバンドパスフィルタである。また、第１のフィルタ１１は、抽出した周波数成分を有するＲＦ信号を第１の可変利得増幅部１２に送信する。
【００９１】
第１の可変利得増幅部１２は、ＯＦＤＭ復調部４の自動利得制御部２６（後述）から受信する利得調整信号に基づき、第１のフィルタ１１から受信するＲＦ信号を増幅又は減衰させるローノイズアンプである。また、第１の可変利得増幅部１２は、増幅又は減衰したＲＦ信号を周波数変換部１３に送信する。
【００９２】
周波数変換部１３は、第１の可変利得増幅部１２から受信するＲＦ信号をＩＦ信号に変換するものである。周波数変換部１３は、選択した所望のチャンネルのＩＦ信号を第２のフィルタ１４に送信する。
【００９３】
第２のフィルタ１４は、周波数変換部１３から受信するＩＦ信号から、不要な物理チャンネルの信号を取り除く（すなわち必要な周波数成分をさらに抽出する）ためのローパスフィルタである。すなわち、第２のフィルタ１４は、特定の物理チャンネルの周波数成分を抽出する（すなわち所望のチャンネルを選択する）ためのフィルタといえる。また、第２のフィルタ１４は、抽出した周波数成分を有するＩＦ信号を第２の可変利得増幅部１５に送信する。
【００９４】
第２の可変利得増幅部１５は、ＯＦＤＭ復調部４の自動利得制御部２６（後述）から受信する利得調整信号に基づき、第２のフィルタ１４から受信するＩＦ信号を後段のＯＦＤＭ復調部４に入力可能な電圧まで増幅させるものである。また、第２の可変利得増幅部１５は、増幅したＩＦ信号を後段のＯＦＤＭ復調部４に送信する。
【００９５】
なお、図２に示すチューナ部３は、フィルタとして、第１のフィルタ１１および第２のフィルタ１４を備えた構成であるが、第１のフィルタ１１を備えず、第２のフィルタ１４だけを備えた構成であってもよい。
【００９６】
〔ＯＦＤＭ復調部４の概略構成〕
次に、ＯＦＤＭ復調部４の概略構成について図１及び図３を用いて説明する。上述のように、ＯＦＤＭ復調部４は、ＢＢ部６とＦＥＣ部７とを備えている。
【００９７】
〔ＢＢ部６の概略構成〕
ＢＢ部６は、チューナ部３から受信するＩＦ信号をベースバンドＯＦＤＭ信号に変換して、当該ベースバンドＯＦＤＭ信号に対して復調処理するものであり、当該復調処理によって得られるデータ信号群及びＴＭＣＣ情報をＦＥＣ部７に供給するものである。すなわち、ＢＢ部６は、デジタル放送の受信信号をベースバンド信号に変換して復調処理を行うものといえる。
【００９８】
ＢＢ部６は、アナログ・デジタル変換部２０と、直交検波部２１と、狭帯域キャリア周波数誤差補正部２２と、高速フーリエ変換部（高速フーリエ変換手段）２３と、波形等化部（波形等化手段）２４と、シンボル同期部２５と、自動利得制御部２６と、広帯域キャリア周波数誤差補正部２７と、ＴＭＣＣ復号部２８とを備えている。
【００９９】
アナログ・デジタル変換部（以下、ＡＤＣ部と称す）２０は、アナログ信号であるＩＦ信号をデジタル信号に変換するものであり、デジタル変換したＩＦ信号を直交検波部２１に供給する。
【０１００】
直交検波部２１は、ＡＤＣ部２０から供給されるデジタル化されたＩＦ信号を、設定されたキャリア周波数のキャリア信号を用いて直交検波するものである。これにより、直交検波部２１は、実軸成分（Ｉチャネル信号）と虚軸成分（Ｑチャネル信号）とからなる複素信号であるベースバンドＯＦＤＭ信号を得る。また、直交検波部２１は、このベースバンドＯＦＤＭ信号を狭帯域キャリア周波数誤差補正部２２に供給する。
【０１０１】
狭帯域キャリア周波数誤差補正部２２は、直交検波部２１から供給されるベースバンドＯＦＤＭ信号における狭帯域キャリア周波数誤差を検出することによって、当該ベースバンドＯＦＤＭ信号を補正するものである。狭帯域キャリア周波数誤差補正部２２は、例えば、上記ベースバンドＯＦＤＭ信号と数値制御発振器（図示しない）から供給されるキャリア周波数誤差補正信号と複素乗算することによって、ベースバンドＯＦＤＭ信号のキャリア周波数を補正する。もしくは、ＣＯＲＤＩＣ（COordinate Rotation DIgital Computer）回路のような位相回転回路で補正する方法もある。この場合には、狭帯域キャリア周波数誤差から各サンプリング点の位相補正量が計算されＣＯＲＤＩＣ回路に入力される。ＣＯＲＤＩＣ回路は、入力された上記ベースバンドＯＦＤＭ信号を上記位相補正量だけ回転することで狭帯域キャリア周波数誤差を補正する。また、狭帯域キャリア周波数誤差補正部２２は、キャリア周波数を補正したベースバンドＯＦＤＭ信号を高速フーリエ変換部（以下、ＦＦＴ部と称す）２３、シンボル同期部２５及び自動利得制御部（以下、ＡＧＣ部と称す）２６に供給する。
【０１０２】
ＦＦＴ部２３は、シンボル同期部２５によって特定された各有効シンボルの先頭タイミングを参照することによって、ベースバンドＯＦＤＭ信号から有効シンボル期間分の信号を抽出し、当該抽出したベースバンドＯＦＤＭ信号に対して高速フーリエ変換を行うものである。なお、ＦＦＴ部２３は、例えば、ベースバンドＯＦＤＭ信号におけるガードインターバル期間内の任意の点を、高速フーリエ変換を行う対象として抽出するベースバンドＯＦＤＭ信号の開始点としてもよい。
【０１０３】
ＦＦＴ部２３は、ベースバンドＯＦＤＭ信号に対して高速フーリエ変換を行うことによって、当該ベースバンドＯＦＤＭ信号から、データ信号、ＳＰ信号、ＴＭＣＣ信号などを含む、各キャリアに変調されたＮ個の複素信号を得る。ＦＦＴ部２３は、ベースバンドＯＦＤＭ信号から得たＮ個の複素信号を、波形等化部２４及びＴＭＣＣ復号部２８に供給する。
【０１０４】
波形等化部２４は、ＴＭＣＣ復号部２８から供給される同期確立信号の示すタイミングに基づいて、ＦＦＴ部２３から供給される上記Ｎ個の複素信号に対して波形等化処理を行うものである。ここで、波形等化処理とは、Ｎ個の複素信号の振幅及び位相を等しくする処理のことである。具体的には、波形等化部２４は、ＦＦＴ部２３から供給されるＳＰ信号群の期待値に基づいて通信路の伝達関数（通信路で生じた振動変動及び位相回転に対応する関数）を推定する。そして、波形等化部２４は、この推定した伝達関数で各データ信号を複素除算することによって、波形等化されたデータ信号群を得る。波形等化部２４は、波形等化したデータ信号群を、誤り訂正処理部７及び受信品質検出部２９に供給する。
【０１０５】
シンボル同期部２５は、狭帯域キャリア周波数誤差補正部２２から供給される、キャリア周波数が補正されたベースバンドＯＦＤＭ信号から、伝送モード、ガードインターバル比などの伝送パラメータを抽出する。これにより、シンボル同期部２５は、上記ベースバンドＯＦＤＭ信号（ベースバンド信号）に含まれる各有効シンボルの先頭タイミングを特定する。
【０１０６】
ＡＧＣ部２６は、狭帯域キャリア周波数誤差補正部２２から供給される、キャリア周波数が補正されたベースバンドＯＦＤＭ信号から、ＯＦＤＭ復調部４に入力されるＩＦ信号の最適な強度を算出し、当該算出結果を利得調整信号としてチューナ部３に供給する。
【０１０７】
広帯域キャリア周波数誤差補正部２７は、ＦＦＴ部２３から波形等化部２４に供給される複素信号の広帯域キャリア周波数誤差を検出することによって、当該複素信号を補正するものである。具体的には、広帯域キャリア周波数誤差補正部２７は、広帯域キャリア周波数誤差を検出すると、上記複素信号のうち、当該広帯域キャリア周波数誤差に基づいて決定された特定の周波数帯域のキャリアに変調された複素信号のみが波形等化部２４に供給されるように制御する。すなわち、広帯域キャリア周波数誤差補正部２７は、複素信号がＦＦＴ部２３から波形等化部２４に供給され、当該複素信号が所望ＯＦＤＭ帯域であることを示す信号を波形等化部２４に出力した場合には、当該複素信号に対する補正を行う必要はない。
【０１０８】
ＴＭＣＣ復号部２８は、ＦＦＴ部２３から供給されるＴＭＣＣ信号に対してＤＢＰＳＫ復調を行い、当該復調結果に含まれる同期ワードを検出することによって、各伝送フレームの先頭タイミングを特定するものである。また、ＴＭＣＣ復号部２８は、上記ＴＭＣＣ信号に対して誤り訂正復号（具体的には差集合巡回復号）を行うことによって、伝送パラメータなどを規定するＴＭＣＣ情報を得る。また、ＴＭＣＣ復号部２８は、上記特定した各伝送フレームの先頭タイミングを示す同期確立信号を波形等化部２４と誤り訂正処理部７とに供給し、上記ＴＭＣＣ情報を誤り訂正処理部７に供給する。
【０１０９】
なお、上記では、ＦＦＴ部２３から出力されるＮ個の複素信号は、波形等化部２４に直接供給されているが、これに限らず、広帯域キャリア周波数誤差補正部２７での補正を行ってから波形等化部２４に供給されてもよい。この場合、広帯域キャリア周波数誤差補正部２７は、上記複素信号のうち、上記広帯域キャリア周波数誤差に基づいて特定されるキャリア番号帯域内の複素信号のみを抽出し、当該抽出した複素信号を所望ＯＦＤＭ帯域の複素信号として、波形等化部２４に供給する。
【０１１０】
（受信品質検出部２９について）
また、ＢＢ部６は、後述の階層切り替え制御部（階層制御手段）５にデジタル放送の受信品質を供給する受信品質検出部（受信品質検出手段）２９を備えている。
【０１１１】
受信品質検出部２９は、ＯＦＤＭ復調部４が復調処理を行ったデジタル放送の受信信号の受信品質を検出するものである。具体的には、受信品質検出部２９は、波形等化部２４によって波形等化されたデータ信号群に基づいて変調誤差比（Modulation Error Rate；以下、ＭＥＲ値と称す）を算出することにより、当該データ信号群の受信品質を検出するものである。また、受信品質検出部２９は、算出したＭＥＲ値を後述の階層切り替え制御部５に供給する。
【０１１２】
ＭＥＲ値とは、波形等化されたデータ信号（複素信号）ＸEQ（ｎ、ｋ）の電力換算値と、当該データ信号ＸEQ（ｎ、ｋ）の理想コンスタレーションポイントＸEQ’（ｎ、ｋ）からのずれを示すベクトル誤差δＸEQ（ｎ、ｋ）の電力換算値との比である。データ信号ＸEQ（ｎ、ｋ）に対するＭＥＲ値は、以下の式（１）〜式（４）によって定義される。
【０１１３】
【数１】
2010034854.tif 000004
【０１１４】
【数２】
2010034854.tif 000005
【０１１５】
【数３】
2010034854.tif 000006
【０１１６】
【数４】
2010034854.tif 000007
【０１１７】
なお、上記式において、ｎはシンボル番号を表す添え字であり、ｋはキャリア番号を表す添え字である。また、（１）式で求める和は、添え字ｎ及びｋについての和である。高精度のＭＥＲ値を得る場合には、上記ｎ及びｋを増やして、これらについての和を取ればよい。一方、リアルタイム性が要求される場合には、１シンボル内の全キャリア又は特定のキャリアについてのみ和を取るようにすればよい。さらに、データ信号ＸEQ（ｎ、ｋ）に対する理想コンスタレーションポイントＸEQ’（ｎ、ｋ）とは、変調方式に応じて決まる、取り得る全てのコンスタレーションポイントＸｍ（０≦ｍ＜Ｍ）のうち、データ信号ＸEQ（ｎ、ｋ）との距離ｄｍ（ｎ、ｋ）＝｜ＸEQ（ｎ、ｋ）−Ｘｍ｜が最小となるコンスタレーションポイントＸｍのことである。
【０１１８】
ここで、変調方式が例えばＱＰＳＫ方式の場合の受信品質検出部２９におけるＭＥＲ値の算出方法について説明する。図４は、変調方式がＱＰＳＫ方式の場合の受信品質検出部２９におけるＭＥＲ値の算出方法を説明するための図である。
【０１１９】
波形等化部２４によって波形等化されたデータ信号ＸEQ（ｎ、ｋ）が図４に示す位置である場合、このときの理想コンスタレーションポイントＸEQ’（ｎ、ｋ）は、上述の説明から図４に示すコンスタレーションポイントＸ１と決まる。そして、受信品質検出部２９は、図４に示すＰＳｉｇｎａｌ（データ信号ＸEQ（ｎ、ｋ）と原点との距離）とＰＮｏｉｓｅ（データ信号ＸEQ（ｎ、ｋ）とコンスタレーションポイントＸ１との距離）とを算出し、それぞれ式（１）に示す常用対数の真数部分の分母及び分子に代入することによってＭＥＲ値が算出される。
【０１２０】
ＭＥＲ値は、式（１）に示すように、図４に示すＰＳｉｇｎａｌとＰＮｏｉｓｅとの電力比であるので、Ｃ／Ｎ比（キャリア対雑音電力比）に相当するといえる。すなわち、ＭＥＲ値は、放送復調装置１が受信するデジタル放送波の受信品質を示す指標として用いることができる。
【０１２１】
なお、本実施形態に係る放送復調装置１では、受信品質検出部２９がＢＢ部６に備えられた構成となっているが、これに限らず、当該受信品質検出部２９は、その処理を損なわない位置（ブロック）であれば当該放送復調装置１のどの位置に備えられていてもよい。
【０１２２】
〔ＦＥＣ部７の概略構成〕
次に、ＦＥＣ部７の概略構成について図３を用いて説明する。図３は、放送復調装置１に備えられたＦＥＣ部７の概略構成を示すブロック図である。ＦＥＣ部７は、ＢＢ部６から受信するデータ信号群の送信ビット列を復元し、当該復元した送信ビット列に含まれる誤り訂正符号を用いて誤り訂正復号を行うことによってＴＳＰを生成し、当該ＴＳＰを後段のモニタ及びアンプに供給するものである。すなわち、ＦＥＣ部７は、ＢＢ部６にて復調処理されたベースバンド信号に対して誤り訂正処理を行うものといえる。
【０１２３】
ＦＥＣ部７は、図３に示すように、デマッピング部３０と、ビットデインターリーブ部３１と、周波数デインターリーブ部（デインターリーブ手段）３２と、時間デインターリーブ部（デインターリーブ手段）３３と、デパンクチャー部３４と、ビタビ復号部３５と、バイトデインターリーブ部（デインターリーブ手段）３６と、エネルギー逆拡散部３７と、ＴＳＰ生成部３８と、リードソロモン復号部３９とを備えている。
【０１２４】
デマッピング部３０は、波形等化部２４によって波形等化されたデータ信号群に対してマッピングの復調処理を行うものである。すなわち、デマッピング部３０は、ＱＰＳＫ、１６ＱＡＭ及び６４ＱＡＭの何れかによって複素信号にマッピングされた上記データ信号群の送信ビット列を復元する。また、デマッピング部３０は、復元した送信ビット列を有するデータ信号群をビットデインターリーブ部３１に供給する。
【０１２５】
ビットデインターリーブ部３１は、デマッピング部３０から供給されるデータ信号群のビットインターリーブの解除処理を行うものである。ここで、インターリーブとは、誤り訂正復号の誤り入力信号を分散させるためのもので、上述のＩＳＤＢ−Ｔにて規定される規則性に準じた順番並べ替えを行うものである。すなわち、ビットデインターリーブ部３１は、データ信号群の有する送信ビット列の順番をビット単位で並べ替えるものである。また、ビットデインターリーブ部３１は、ビットインターリーブの解除処理を行ったデータ信号群を周波数デインターリーブ部３２に供給する。
【０１２６】
周波数デインターリーブ部３２は、ビットデインターリーブ部３１から供給されるデータ信号群の周波数インターリーブの解除処理（すなわち各キャリアの順番を並べ替える）ものである。また、周波数デインターリーブ部３２は、周波数インターリーブの解除処理を行ったデータ信号群を時間デインターリーブ部３３に供給する。
【０１２７】
時間デインターリーブ部３３は、周波数デインターリーブ部３２から供給されるデータ信号群の時間インターリーブの解除処理を行う（復調されたデータ信号の順番を並べ替える）ものである。また、時間デインターリーブ部３３は、周波数インターリーブの解除処理を行ったデータ信号群をデパンクチャー部３４に供給する。
【０１２８】
デパンクチャー部３４は、時間デインターリーブ部３３から供給されるデータ信号群の有する、復元された送信ビット列に含まれる誤り訂正符号の内符号がパンクチャーされた畳み込み符号の場合に、当該畳み込み符号に対してデパンクチャー処理を行う。ここで、デパンクチャーとは、送信側にて予め間引かれた冗長性のある信号領域に暫定値を挿入するもので、間引き方法についてはＩＳＤＢ−Ｔにて規定される。また、デパンクチャー部３４は、デパンクチャー処理が行われたデータ信号群をビタビ復号部３５に供給する。
【０１２９】
ビタビ復号部３５は、デパンクチャー部３４から供給されるデータ信号群の有する、復元された送信ビット列に含まれる誤り訂正符号の内符号が畳み込み符号化されている場合に、当該畳み込み符号化された符号化データの復号及び誤り訂正を行うものである。また、ビタビ復号部３５は、符号化データの復号及び誤り訂正が行われたデータ信号群をバイトデインターリーブ部３６に供給する。
【０１３０】
バイトデインターリーブ部３６は、ビタビ復号部３５から供給されるデータ信号群のバイトインターリーブの解除処理を行う（すなわちデータ信号群の有する送信ビット列の順番をバイト単位で並べ替える）ものである。また、バイトデインターリーブ部３６は、バイトインターリーブの解除処理を行ったデータ信号群をエネルギー逆拡散部３７に供給する。
【０１３１】
エネルギー逆拡散部３７は、バイトデインターリーブ部３６から供給されるデータ信号群に対してエネルギー逆拡散処理を行うものである。ここで、エネルギー逆拡散処理とは、上記データ信号群に対して、信号極性の偏りをなくすことによってランダム性を持たせるもので、送信側にて掛け合わされた擬似雑音系列を逆に掛け合わせることを指す。また、エネルギー逆拡散部３７は、エネルギー逆拡散処理を行ったデータ信号群をＴＳＰ生成部３８に供給する。
【０１３２】
ＴＳＰ生成部３８は、エネルギー逆拡散部３７から供給されるデータ信号群から所定サイズ（例えば２０４バイト）のＴＳＰを生成する。また、ＴＳＰ生成部３８は、生成したＴＳＰをＲＳ復号部に供給する。
【０１３３】
リードソロモン復号部（以下、ＲＳ復号部と称す）３９は、ＴＳＰ生成部３８から供給されるＴＳＰの有する、復元された送信ビット列に含まれる誤り訂正符号の外符号がリードソロモン符号化されている場合に、当該リードソロモン符号化された符号化データの復号及び誤り訂正を行うものである。また、ＲＳ復号部３９は、符号化データの復号及び誤り訂正が行われたＴＳＰを後段のモニタ及びアンプに供給する。なお、ＲＳ復号部３９から供給されるＴＳＰは、Ｈ．２６４方式又はＭＰＥＧ−２方式の画像圧縮方式にて画像圧縮を行うデコーダ（図示しない）に入力されて、当該デコーダにて復調される。これにより、上記ＴＳＰを受信したモニタでの映像表示が実現されると共に、当該ＴＳＰを受信したアンプに接続されたスピーカーを介しての音声出力が実現される。
【０１３４】
なお、上記の説明では、ＯＦＤＭ復調部４の直交検波部２１にてＩＦ信号の直交検波を行っているが、これに限らず、直交検波部２１の代わりに、例えばチューナ部３に直交検波部を備える構成であってもよい。この場合、チューナ部３からの出力信号はＩＦ信号ではなく、ＩＱ成分を有するベースバンド信号となるが、それ以外は上記の説明と同じである。
【０１３５】
また、本発明に係る放送復調装置１では、上述のように、ＲＦ信号からＩＦ信号に変換した後ベースバンド信号を得るＩＦ方式を用いているが、これに限らず、ＲＦ信号から直接ベースバンド信号を得るゼロＩＦ方式（ダイレクトコンバージョン方式）であってもよい。
【０１３６】
〔階層切り替え制御部５の概略構成〕
さらに、本実施形態に係る放送復調装置１は、階層切り替え制御部５を備えている。階層切り替え制御部５は、受信品質検出部２９が検出したデジタル放送の受信信号の受信品質を示す検出値に応じて階層を選択し、当該選択した階層に対応した処理を行うようにチューナ部３及びＯＦＤＭ復調部４を制御するものである。すなわち、階層切り替え制御部５は、放送復調装置１が受信するデジタル放送の放送波の受信品質に応じた階層に切り替えてチューナ部３及びＯＦＤＭ復調部４を制御するものである。階層切り替え制御部５は、切り替え判定部（判定手段）５１及び階層設定部（階層設定手段）５２を備えている。
【０１３７】
切り替え判定部５１は、受信品質検出部２９から受信したデジタル放送の受信信号の受信品質を示す検出値が、予め設定された閾値以上であるか否かを判定するものである。すなわち、切り替え判定部５１は、受信品質検出部２９から供給されるＭＥＲ値を受信すると、当該ＭＥＲ値を予め設定された閾値以上であるか否かを判定するものである。また、切り替え判定部５１は、判定結果を階層設定部５２に供給する。なお、切り替え判定部５１には、上記判定のときに参照するための閾値が予め記憶されている。この閾値については後述する。
【０１３８】
階層設定部５２は、切り替え判定部５１の判定結果に応じて階層を選択し、当該選択した階層を示す階層設定信号をチューナ部３及びＯＦＤＭ復調部４に供給するものである。すなわち、階層設定部５２は、切り替え判定部５１から判定結果が供給されると、当該判定結果に基づいてチューナ部３及びＯＦＤＭ復調部４で処理可能な階層に切り替え（すなわち処理可能な階層を選択し）、当該チューナ部３及びＯＦＤＭ復調部４を当該階層に設定するものである。階層設定部５２は、当該判定結果から現在設定されている階層を切り替えるか否かを判定し、当該階層を切り替えると判定した場合には、切り替える階層に設定するための階層設定信号をチューナ部３と、ＯＦＤＭ復調部４のＢＢ部６及びＦＥＣ部７とに供給する。これにより、チューナ部３及びＯＦＤＭ復調部４は、この階層設定信号により、処理可能な階層での処理を行うことができる。
【０１３９】
なお、階層設定部５２には、切り替え判定部５１からの判定結果に対応付けられた処理可能な階層（復調モード）が予め設定されている。具体的には、放送復調装置１が表１に示すデジタル放送（階層構成がワンセグ放送及び固定放送）を受信する場合、階層設定部５２には、閾値以上であることを示す判定結果には固定放送復調モードが対応付けて記憶されている。一方、階層設定部５２には、閾値未満であることを示す判定結果にはワンセグ放送復調モードが対応付けて記憶されている。
【０１４０】
〔放送復調装置１における処理の流れ〕
次に、階層構成が表１に示すワンセグ放送と固定放送とからなるｍｏｄｅ３のデジタル放送を放送復調装置１が受信した場合の当該放送復調装置１における処理の流れについて、図５を用いて説明する。図５は、ワンセグ放送と固定放送とからなるデジタル放送を放送復調装置１が受信した場合の当該放送復調装置１における処理の流れを示すフローチャートである。
【０１４１】
本実施形態に係る放送復調装置１は、上記のようにワンセグ放送と固定放送とからなるデジタル放送を受信する。このため、階層切り替え制御部５は、放送復調装置１が受信したデジタル放送をワンセグ放送として復調する場合のワンセグ放送復調モードと、当該デジタル放送を固定放送として復調する場合の固定放送復調モードとの何れかの復調モードを選択する。すなわち、チューナ部３及びＯＦＤＭ復調部４は、階層切り替え制御部５が選択した何れかの復調モードを示す階層設定信号を供給することによって、当該復調モードに対応した階層で受信したデジタル放送に対する処理を行うことができる。
【０１４２】
まず、放送復調装置１が起動されると（ステップ０（Ｓ０））、階層設定部５２は、放送復調装置１がデジタル放送をワンセグ放送として復調することを示すワンセグ放送復調モードを復調モードとして選択する。そして、階層設定部５２は、選択したワンセグ放送復調モードを示す階層設定信号をチューナ部３及びＯＦＤＭ復調部４に供給することによって、当該チューナ部３及びＯＦＤＭ復調部４がデジタル放送をワンセグ放送として処理する階層に設定する。すなわち、階層設定部５２は、放送復調装置１におけるデジタル放送の階層をワンセグ放送復調モードに初期設定する（Ｓ１）。
【０１４３】
すなわち、Ｓ１での処理において、放送復調装置１は、チューナ部３及びＯＦＤＭ復調部４の処理を行う対象（すなわち受信するデジタル放送）の周波数帯域を１セグメントに制限する。これにより、放送復調装置１は、Ｓ１での処理により、当該放送復調装置１における消費電力をワンセグ放送専用の放送復調装置と同じ値とすることが可能となる。
【０１４４】
なお、上記Ｓ１での処理では、放送復調装置１の復調モードの初期設定をワンセグ放送復調モードとしたが、これに限らず、当該初期設定を固定放送復調モードとしてもよい。この場合であっても、放送復調装置１は、以下に示す処理の流れに沿った制御を行うことができる。
【０１４５】
次に、ワンセグ放送復調モードに設定されたチューナ部３は、アンテナ２で受信したデジタル放送を示すＲＦ信号からユーザ所望のチャンネルを選局し、当該選局したチャンネルを示すＲＦ信号の周波数帯域を１セグメントに制限されたＩＦ信号に変換し、当該ＩＦ信号をＯＦＤＭ復調部４に供給する。
【０１４６】
チューナ部３と同様にワンセグ放送復調モードに設定されたＯＦＤＭ復調部４は、チューナ部３からＩＦ信号が供給されると、当該ＩＦ信号の初期同期を試みて、当該ＩＦ信号の同期確立の有無を確認する（Ｓ２）。すなわち、ＴＭＣＣ復号部２８は、上記ＩＦ信号のＴＭＣＣ信号に対してＤＢＰＳＫ復調を行い、当該ＴＭＣＣ信号に含まれる同期ワードを検出することによって、当該ＩＦ信号の同期確立が可能か否かを判定する。ＴＭＣＣ復号部２８は、ＩＦ信号の同期確立が可能であると判定した場合（すなわちＩＦ信号の同期確立ありと判定した場合）、同期確立ありを示す（すなわち伝送フレームの先頭タイミングを示す）同期確立信号を波形等化部２４に送信する。
【０１４７】
一方、ＴＭＣＣ復号部２８は、ＩＦ信号の同期確立が可能でなかったと判断した場合（すなわちＩＦ信号の同期確立なしと判定した場合）には、同期確立なしを示す同期確立信号を階層切り替え制御部５に供給する。
【０１４８】
ＯＦＤＭ復調部４がチューナ部３から供給されたＩＦ信号の同期確立なし（同期ＮＧ）と判定した場合（Ｓ２でＮＯ）、階層切り替え制御部５は、ＴＭＣＣ復号部２８から同期確立なしを示す同期確立信号が供給される。階層切り替え制御部５が同期確立信号を受信すると、階層設定部５２は、ワンセグ放送の受信だけでなく固定放送での受信も不可能であると判定し、チューナ部３及びＯＦＤＭ復調部４での処理を停止するための停止信号をチューナ部３及びＯＦＤＭ復調部４を供給する。これにより、チューナ部３及びＯＦＤＭ復調部４での処理が停止される（Ｓ９）。
【０１４９】
一方、ＯＦＤＭ復調部４がチューナ部３から供給されたＩＦ信号の同期確立あり（同期ＯＫ）と判定した場合（Ｓ２でＹＥＳ）、放送復調装置１においてワンセグ放送復調モードが維持され、Ｓ３の処理に移行する。
【０１５０】
具体的には、ＯＦＤＭ復調部４がＩＦ信号の同期確立ありと判定した場合には、ＴＭＣＣ復号部２８は、同期確立ありを示す同期確立信号を波形等化部２４に供給する。波形等化部２４は、ＴＭＣＣ復号部２８からこの同期確立信号を受信すると、ＦＦＴ部２３から供給される複素信号に含まれるデータ信号に対して波形等化処理を行う。そして、波形等化部２４は、波形等化したデータ信号を受信品質検出部２９に送信する。
【０１５１】
受信品質検出部２９は、波形等化部２４によって波形等化されたデータ信号を受信すると、当該データ信号の受信品質を検出する。すなわち、受信品質検出部２９は、受信したデータ信号のＭＥＲ値を算出し（Ｓ３）、当該ＭＥＲ値を階層切り替え制御部５に供給する。
【０１５２】
階層切り替え制御部５では、切り替え判定部５１が上記ＭＥＲ値を受信すると、予め設定された閾値を参照し、当該ＭＥＲ値が当該閾値以上であるか否かを判定する（Ｓ４）。なお、上記閾値としては、例えば表１に示す固定放送の所要Ｃ／Ｎ比、すなわち放送復調装置１が復調するデジタル放送の階層のうち、所要Ｃ／Ｎ比が最も大きい値である階層の所要Ｃ／Ｎ比として予め設定されている。
【０１５３】
切り替え判定部５１が上記ＭＥＲ値が上記閾値以上であると判定した場合（Ｓ４でＹＥＳ）、当該判定結果を階層設定部５２に供給する。階層設定部５２は、上記ＭＥＲ値が上記閾値以上であることを示す判定結果を受信すると、放送復調装置１がデジタル放送を固定放送として復調することを示す固定放送復調モードを復調モードとして選択する。すなわち、Ｓ１での処理において、階層設定部５２は、復調モードとしてワンセグ放送復調モードに選択している（すなわちチューナ部３及びＯＦＤＭ復調部４をワンセグ放送復調モードに設定している）ので、当該ワンセグ放送復調モードを固定放送復調モードに切り替える（変更する）処理を行う（Ｓ５）。
【０１５４】
階層設定部５２は、ワンセグ放送復調モードを固定放送復調モードに切り替えると、固定放送復調モードを示す階層設定信号をチューナ部３及びＯＦＤＭ復調部４に供給することによって、当該チューナ部３及びＯＦＤＭ復調部４がデジタル放送を固定放送として処理する階層に設定する。このようにして、階層設定部５２は、放送復調装置１におけるデジタル放送の階層を固定放送復調モードに設定する。
【０１５５】
すなわち、Ｓ５での処理において、放送復調装置１は、チューナ部３及びＯＦＤＭ復調部４の処理を行う対象（すなわち受信するデジタル放送）の周波数帯域を１３セグメントに制限する。これにより、放送復調装置１は、Ｓ５での処理により、当該放送復調装置１における消費電力を固定放送専用の放送復調装置と同じ値とすることが可能となる。
【０１５６】
なお、表１に示すように、固定放送のセグメント数は１２である。しかし、図１０に示すように、ワンセグ放送は、物理チャンネル帯域内の１３セグメントのうち、中央の１セグメントを利用するので、放送復調装置１が固定放送を受信する場合には１３セグメント分の周波数帯域を処理する必要がある。このため、上記では、階層設定部５２が固定放送復調モードに設定した場合、チューナ部３及びＯＦＤＭ復調部４が処理するデジタル放送の放送波の周波数帯域を１３セグメントであるものとした。
【０１５７】
また、Ｓ５での処理において、固定放送復調モードに設定されたチューナ部３は、アンテナ２で受信したデジタル放送を示すＲＦ信号からユーザ所望のチャンネルを選局し、当該選局したチャンネルを示すＲＦ信号の周波数帯域を１３セグメントに制限されたＩＦ信号に変換し、当該ＩＦ信号をＯＦＤＭ復調部４に供給する。そして、固定放送復調モードに設定されたＯＦＤＭ復調部４は、チューナ部３からＩＦ信号が供給されると、再度当該ＩＦ信号の初期同期の確立を試みて、当該ＩＦ信号の同期確立の有無を確認することとなる（Ｓ６）。すなわち、Ｓ２での処理と同様、ＴＭＣＣ復号部２８がＩＦ信号の同期確立が可能であるか否かを判定し、当該ＩＦ信号の同期確立なしと判定した場合（すなわちＯＦＤＭ復調部４がＩＦ信号の同期確立なし（同期ＮＧ）と判定した場合；Ｓ６でＮＯ）、同期確立なしを示す同期確立信号を階層切り替え制御部５に供給する。階層切り替え制御部５は、上記同期確立信号を受信すると、Ｓ１での処理を行う。
【０１５８】
一方、ＴＭＣＣ復号部２８がＩＦ信号の同期確立ありと判定した場合（すなわちＯＦＤＭ復調部４がＩＦ信号の同期確立あり（同期ＯＫ）と判定した場合；Ｓ６でＹＥＳ）、放送復調装置１において固定放送復調モードが維持され、Ｓ７の処理に移行する。
【０１５９】
具体的には、Ｓ６でＹＥＳの場合、Ｓ４での処理と同様、波形等化部２４は、ＴＭＣＣ復号部２８から同期確立ありを示す同期確立信号を受信すると、ＦＦＴ部２３から供給される複素信号に含まれるデータ信号に対して波形等化処理を行い、当該波形等化したデータ信号を受信品質検出部２９に送信する。そして、受信品質検出部２９は、波形等化部２４によって波形等化されたデータ信号のＭＥＲ値を算出し（Ｓ７）、当該ＭＥＲ値を階層切り替え制御部５に供給する。
【０１６０】
階層切り替え制御部５では、切り替え判定部５１が上記ＭＥＲ値を受信すると、Ｓ４での処理と同様、予め設定された閾値を参照し、当該ＭＥＲ値が当該閾値以上であるか否かを判定する（Ｓ８）。
【０１６１】
切り替え判定部５１が上記ＭＥＲ値が上記閾値より小さいと判定した場合（Ｓ８でＮＯ）、当該判定結果を階層設定部５２に供給する。階層設定部５２は、上記ＭＥＲ値が上記閾値よりも小さいことを示す判定結果を受信すると、ワンセグ放送復調モードを復調モードとして選択する。すなわち、Ｓ５での処理において、階層設定部５２は、復調モードとして固定放送復調モードに選択しているので、当該固定放送復調モードをワンセグ放送復調モードに切り替える処理を行う（すなわち、階層設定部５２はＳ１での処理を行う）。
【０１６２】
階層設定部５２は、固定放送復調モードをワンセグ放送復調モードに切り替えると、ワンセグ放送復調モードを示す階層設定信号をチューナ部３及びＯＦＤＭ復調部４に供給することによって、当該チューナ部３及びＯＦＤＭ復調部４がデジタル放送をワンセグ放送として処理する階層に設定する。このようにして階層設定部５２は、Ｓ１での処理と同様、放送復調装置１におけるデジタル放送の階層をワンセグ放送復調モードに設定する。
【０１６３】
一方、切り替え判定部５１が上記ＭＥＲ値が上記閾値以上と判定した場合（Ｓ８でＹＥＳ）、当該判定結果を階層設定部５２に供給する。階層設定部５２は、上記ＭＥＲ値が上記閾値以上であることを示す判定結果を受信すると、Ｓ６の処理に移行する。すなわち、階層設定部５２は、復調モードとして固定放送復調モードを維持する。
【０１６４】
なお、上記Ｓ４での処理において、切り替え判定部５１が上記ＭＥＲ値が上記閾値より小さいと判定した場合（Ｓ４でＮＯ）、当該判定結果を階層設定部５２に供給する。階層設定部５２は、上記ＭＥＲ値が上記閾値より小さいことを示す判定結果を受信すると、Ｓ２の処理に移行する。すなわち、階層設定部５２は、復調モードとしてワンセグ放送復調モードを維持する。
【０１６５】
ここで、上記Ｓ４及びＳ８での処理における階層切り替え制御部５での切り替え制御の一例にについて図６を用いて説明する。図６は、ＭＥＲ値の経時変化を示すグラフを用いた階層切り替え制御部５での切り替え制御の一例を示す図であり、同図（ａ）は、階層切り替え制御部５が１つの閾値にて復調モードの切り替えを行う場合を示す図である。
【０１６６】
図６（ａ）に示すように、切り替え判定部５１が受信品質検出部２９から供給されるＭＥＲ値を閾値以上であると判定した場合には、階層設定部５２は、当該判定結果に基づいて固定放送復調モードを選択する。一方、切り替え判定部５１が上記ＭＥＲ値を閾値より小さいと判定した場合には、階層設定部５２は、当該判定結果に基づいてワンセグ放送復調モードを選択する。
【０１６７】
以上より、放送復調装置１では、所要Ｃ／Ｎ比の異なる複数の階層を含むデジタル放送を受信した場合に、受信品質検出部２９は、デジタル放送の放送波の受信品質（ここではＭＥＲ値）を検出する。そして、階層切り替え制御部５は、この受信品質と予め設定された閾値とを比較することによって、チューナ部３及びＯＦＤＭ復調部４における復調モードを決定する。これにより、階層切り替え制御部５がチューナ部３及びＯＦＤＭ復調部４において処理されるデジタル放送の最適な階層を選択するので、復調装置は、視聴に最適な階層構成でデジタル放送を復調できる。
【０１６８】
また、放送復調装置１は、上述のような処理を行う階層切り替え制御部５を備えたため、デジタル放送を受信したときに、ＯＦＤＭ復調部４が複数の階層の受信信号全てについて同時に復調処理を行う必要がない。すなわち、放送復調装置１は、階層切り替え制御部５が選択した階層の受信信号に対してのみ復調処理を行うだけであっても、視聴に最適な階層構成でデジタル放送を復調できる。
【０１６９】
つまり、放送復調装置１は、デジタル放送を受信したときに、複数の階層の受信信号全てを同時に復調処理する必要がないので、ＯＦＤＭ復調部４を構成する回路を階層ごとに設けなくても、視聴に最適な階層構成でデジタル放送を復調できる。すなわち、放送復調装置１は、複数の階層の受信信号全てについて復調処理を行い、これら全ての受信信号の受信品質を検出して階層を選択する構成に比べて、その回路規模及び部品サイズを小さくすることができる。
【０１７０】
さらに、放送復調装置１は、視聴に最適な階層構成でデジタル放送を復調できるので、各階層専用の放送復調装置だけを用いた場合の消費電力と同じにすることができる。つまり、放送復調装置１は、ワンセグ放送を復調するときには、固定放送を復調するときよりも消費電力を抑制することができる。
【０１７１】
従って、放送復調装置１は、回路規模を大きくせずに、かつ消費電力を抑制して、デジタル放送の最適な階層を選択して復調することができる。すなわち、放送復調装置１は、回路規模を大きくせずに、かつ消費電力を抑制して、視聴に最適な階層構成でデジタル放送を復調できる。
【０１７２】
なお、本実施形態に係る放送復調装置１は、ワンセグ放送と固定放送とからなるデジタル放送を受信するものとしたが、これに限らず、３つ以上の階層からなるデジタル放送を受信してもよい。この場合、階層切り替え制御部５は、これらの階層を切り替えるために予め設定された複数の閾値と、受信品質検出部２９から供給されるＭＥＲ値とを比較して、当該比較結果に応じて最適な階層を示す復調モードを選択するようにしてもよい。
【０１７３】
また、上記では、受信品質検出部２９は、デジタル放送の受信品質を図る指標としてＭＥＲ値を算出することによって、当該受信品質を検出していたが、これに限られたものではない。受信品質検出部２９は、例えばＦＥＣ部７のビタビ復号部３５又はＲＳ復号部３９から出力されるデータ信号群又はＴＳＰからＢＥＲ（Bit Error Rate）の算出、狭帯域キャリア周波数誤差補正部２２で検出される狭帯域キャリア周波数誤差の揺らぎを検出することによる同期品質の検出などを、上記受信品質を図る指標としてもよい。すなわち、受信品質検出部２９で用いられる受信品質の指標は、階層切り替え制御部５がデジタル放送の階層の切り替え制御を行う上で閾値が定義できる物理量又はパラメータであれば、どのようなものであってもよい。
【０１７４】
さらに、上記閾値としては所要Ｃ／Ｎ比が設定されていたが、これに限らず、階層切り替え制御部５がワンセグ放送復調モードと固定放送復調モードとを適切に切り替えることが可能な基準を満たすものであれば、どのような値が設定されていてもよい。ここで、所要Ｃ／Ｎ比は、ＲＳ復号部３９のＴＳＰ出力の誤りが、ＢＥＲ≦１０−１２の条件を満たすときのＣ／Ｎ比と定義されるものである。従って、放送復調装置１を含むシステム全体の仕様から、上記ＴＳＰ出力の誤りの条件を上記条件より厳しくする場合には、上記閾値は、所要Ｃ／Ｎ比より大きく設定されてもよい。一方、上記ＴＳＰ出力の誤りの条件を上記条件より緩める場合には、上記閾値は、所要Ｃ／Ｎ比より小さく設定されてもよい。また、上記閾値は、上記システム全体の仕様に変更されてもよい。
【０１７５】
また、閾値として用いられる所要Ｃ／Ｎ比は、変調方式及び符号化率によって異なり、さらに、ＢＢ部６及びＦＥＣ部７の処理能力によっても異なる。このため、放送復調装置１ごとに処理アルゴリズムが異なれば、当該放送復調装置１ごとに所要Ｃ／Ｎ比も異なることとなる。従って、上記閾値として所要Ｃ／Ｎ比を用いる場合には、放送復調装置１ごとに対応した所要Ｃ／Ｎ比を閾値として用いる必要がある。
【０１７６】
〔切り替え判定部５１に閾値が複数設定されている場合について〕
本発明に係る放送復調装置１では、図６（ａ）に示すように、切り替え判定部５１に予め設定された閾値は１個であるが、複数の閾値が設定されていてもよい。ここで、設定された閾値が１個の場合には、階層切り替え制御部５は、受信品質検出部２９が算出するＭＥＲ値が閾値付近におけるわずかな変化にも対応して、その都度復調モードの切り替えを行うこととなる。
【０１７７】
ＯＦＤＭ復調部４は、階層切り替え制御部５による切り替え制御が行われるたびに、ＩＦ信号の初期同期を試みる。ＯＦＤＭ復調部４は、この初期同期が行われている間（初期同期期間中）ＴＳＰを後段に出力することができないので、階層切り替え制御部５による切り替え制御が多発すると、デジタル放送の受信率を低下させてしまうこととなる。
【０１７８】
ここで、上述のように、所要Ｃ／Ｎ比は、ＲＳ復号部３９のＴＳＰ出力の誤りがＢＥＲ≦１０−１２の条件を満たすときのＣ／Ｎ比と定義されるものである。このため、上記ＭＥＲ値が閾値である所要Ｃ／Ｎ比付近で変化する場合には、放送復調装置１が復調モードを切り替えずにデジタル放送を受信した場合であっても、ＢＥＲは変化するものの、ＯＦＤＭ復調部４のＴＳＰ出力には誤りが発生しないか、発生しても極僅かである場合が多い。そこで、放送復調装置１では、切り替え判定部５１に予め設定される閾値の数を複数にすることによって、デジタル放送の受信率の安定化を図ることができる。
【０１７９】
例えば切り替え判定部５１には、図６（ｂ）に示すように、階層設定部５２がワンセグ放送復調モードから固定放送復調モードに切り替える場合の閾値ａと、固定放送復調モードからワンセグ放送復調モードに切り替える場合の閾値ｂとが予め設定されている。なお、図６は、ＭＥＲ値の経時変化を示すグラフを用いた階層切り替え制御部５での切り替え制御の一例を示す図であり、同図（ｂ）は、階層切り替え制御部５が複数（ここでは２つの閾値ａ、ｂ）の閾値にて復調モードの切り替えを行う場合を示す図である。図６（ａ）、（ｂ）に示すグラフにおいて、ＭＥＲ値の経時変化は同じであるものとする。
【０１８０】
切り替え判定部５１は、受信品質検出部２９から供給されるＭＥＲ値と、閾値ａ及び閾値ｂとを比較する。ここで、階層設定部５２は、復調モードとしてワンセグ放送復調モード又は固定放送復調モードに選択すると、当該復調モードを示すモード信号を切り替え判定部５１に供給する。このため、切り替え判定部５１は、階層設定部５２から供給される復調モードがワンセグ放送復調モードを示す場合には、上記ＭＥＲ値と上記閾値ａとを比較する一方、当該復調モードが固定放送復調モードを示す場合には、上記ＭＥＲ値と上記閾値ｂとを比較する。
【０１８１】
切り替え判定部５１に設定された閾値が１つである場合には、図６（ａ）に示すように、階層設定部５２が復調モードを切り替える回数が６回である。これに対し、切り替え判定部５１に設定された閾値が閾値ａ、ｂである場合には、図６（ｂ）に示すように、階層設定部５２が復調モードを切り替える回数は１回である。すなわち、放送復調装置１では、切り替え判定部５１に２つの閾値ａ、ｂが設定された場合には、閾値が１つだけ設定された場合に比べて、階層設定部５２による復調モードの切り替え頻度が低減させることができる。
【０１８２】
なお、図６（ｂ）からもわかるように、放送復調装置１では、上記閾値ａ、ｂの差が大きくすれば、上記復調モードの切り替え頻度を低減させることができる。しかし、閾値ｂを小さくしすぎると、デジタル放送の受信品質が低下するので、ＯＦＤＭ復調部４において当該デジタル放送の復調が困難であるにも関わらず、復調モードを維持してしまう場合がある。このため、放送復調装置１において閾値ａ、ｂを設定する場合には、当該放送復調装置１に対してＯＦＤＭ試験波発生装置又はフェージングシミュレータで評価することが好ましい。
【０１８３】
〔切り替え判定部５１での判定指標について〕
次に、本発明に係る放送復調装置１では、切り替え判定部５１が、受信品質検出部２９によって算出されたＭＥＲ値と予め設定された所要Ｃ／Ｎ比とを比較し、階層設定部５２が、切り替え判定部５１での判定結果に応じて復調モードを設定している。しかし、放送復調装置１の階層切り替え制御部５は、受信品質検出部２９で算出されるＭＥＲ値を用いて復調モードを設定する構成でなくてもよく、ＭＥＲ値以外の判定指標（判定指数）を用いて復調モードを設定することによってデジタル放送の最適な階層を選択する構成であってもよい。
【０１８４】
上記判定指数としては、ＭＥＲ値の微分値、積分値、補間値、フィルタ出力値などが挙げられる。この場合、受信品質検出部２９は、波形等化部２４によって波形等化されたデータ信号群のＭＥＲ値を算出した後、当該ＭＥＲ値から微分値、積分値、補間値又はフィルタ出力値を示す判定指数を求める。受信品質検出部２９は、求めた判定指数を階層切り替え制御部５に供給する。
【０１８５】
階層切り替え制御部５では、切り替え判定部５１が上記判定指数を受信すると、ＭＥＲ値を受信した場合と同様、予め設定された閾値を参照し、当該判定指数が当該閾値以上であるか否かを判定する。階層設定部５２は、切り替え判定部５１の判定結果に応じて、復調モードとしてワンセグ放送復調モード又は固定放送復調モードを選択する。具体的には、階層設定部５２は、上記判定指数が上記閾値以上であることを示す判定結果を受信した場合には、固定放送復調モードを復調モードとして選択する一方、上記判定指数が上記閾値よりも小さいことを示す判定結果を受信した場合には、ワンセグ放送復調モードを復調モードとして選択する。そして、階層設定部５２は、現在の復調モードと異なる場合には、選択した復調モードを示す階層設定信号をチューナ部３及びＯＦＤＭ復調部４に供給することによって、放送復調装置１におけるデジタル放送の階層を切り替える。
【０１８６】
ここで、放送復調装置１が携帯型受信装置又は移動体用受信装置に搭載されており、当該放送復調装置１の起動時に当該受信装置が移動している場合、当該放送復調装置１が電波陰影地域（ビル密集地など）に入ることに起因して、アンテナ２での放送波の電界強度が瞬間的に低下する場合がある。これに応じて、放送復調装置１では、受信品質検出部２９で算出されるＭＥＲ値も瞬間的に低下（悪化）する場合がある。しかし、このＭＥＲ値の悪化が瞬間的である場合、ＦＥＣ部７の周波数デインターリーブ部３２がデータ信号に対して時間的に拡散する処理を行うので、ビタビ復号部３５又はＲＳ復号部３９にて完全にデータ信号の誤り訂正が行われる可能性が高い。上述のように、ＯＦＤＭ復調部４は、初期同期期間中にＴＳＰを後段に出力することができず、デジタル放送の受信率を低下してしまう（すなわち放送復調装置１が初期同期期間中にデジタル放送を受信できない）ことを考えると、瞬間的なＭＥＲ値の悪化の場合には復調モードを維持することが好ましい。
【０１８７】
以上より、放送復調装置１では、切り替え判定部５１が受信品質検出部２９で求められた判定指数が上記閾値以上であるか否かを判定することによって、階層設定部５２は、最適な復調モードを選択する。これにより、階層切り替え制御部５は、ＭＥＲ値が例えば図６（ｂ）に示すように揺らいだり（変化したり）、瞬間的に悪化した場合であっても、これらの影響を受けずに現在の復調モードを維持することができる。すなわち、放送復調装置１は、階層切り替え制御部５がチューナ部３及びＯＦＤＭ復調部４において処理されるデジタル放送の最適な階層を選択する場合であっても、デジタル放送の受信率の安定を図ることができる。
【０１８８】
〔実施形態２〕
次に、放送復調装置の階層切り替え制御部によるクロック源にて生成される動作クロックのクロック周波数の制御について説明する。すなわち、図１において、階層切り替え制御部５がクロック源８で生成される動作クロックのクロック周波数を制御する以外の構成については、上記で説明した放送復調装置１と同様の構成である。なお、本実施形態に係る放送復調装置１についても、実施形態１と同一の符号を付記すると共に、同一の機能を有する部材についてはその説明を省略する。
【０１８９】
〔階層切り替え制御部５によるクロック源８の制御〕
本実施形態に係る放送復調装置１の階層切り替え制御部５は、上述した実施形態１の処理に加えて、クロック源８にて生成される動作クロックのクロック周波数の制御するものである。すなわち、階層切り替え制御部５は、クロック信号を選択した階層に応じて生成するように、クロック源８を制御するものである。このクロック源８からの動作クロックをチューナ部３とＯＦＤＭ復調部４（ＢＢ部６及びＦＥＣ部７）とに供給するために、放送復調装置１はクロック線４０を備えている。
【０１９０】
上記非特許文献２によれば、原信号に含まれる最大周波数成分をｆとすると、２ｆよりも高い周波数ｆｓでサンプリングした信号は、ローパスフィルタで高域成分を除去することによって原信号を完全に復元することができる。これはシャノンのサンプリング定理と呼ばれており、放送復調装置１におけるＩＦ信号に適用できる定理である。ＩＱ成分からなるベースバンド信号をこのＩＦ信号として考えると、放送復調装置１において、周波数帯域幅がｆのベースバンド信号（−ｆ／２〜＋ｆ／２の周波数成分）を再現するには、当該周波数帯域幅ｆよりも高い周波数ｆｓでサンプリングされていればよい。
【０１９１】
表１に示すように、ワンセグ放送の帯域幅は０．４３ＭＨｚ（１セグメント）であり、固定放送の帯域幅は５．５７ＭＨｚ（１３セグメント）である。従って、放送復調装置１は、チューナ部３の出力がベースバンド信号であるゼロＩＦ方式の場合、ワンセグ放送の復調にはｆ０＝０．４３ＭＨｚ以上、固定放送の復調にはｆ１＝５．５７ＭＨｚ以上のサンプリング周波数でサンプリングする必要がある。一方、放送復調装置１は、チューナ部３の出力がＩＦ信号であるＩＦ方式の場合、ワンセグ放送の復調には２ｆ０以上、固定放送の復調には２ｆ１以上のサンプリング周波数でサンプリングする必要がある。
【０１９２】
すなわち、図５に示す放送復調装置１の処理の流れにおいて、階層設定部５２は、復調モードをワンセグ放送復調モードに設定するとき（Ｓ１での処理）、クロック源８がチューナ部３及びＯＦＤＭ復調部４に供給する動作クロックのクロック周波数を２ｆ０以上（ゼロＩＦ方式の場合はｆ０以上）に設定するために、当該設定を指示する指示信号を当該クロック源８に供給する。一方、階層設定部５２は、復調モードを固定放送復調モードに設定するとき（Ｓ５での処理）、クロック源８がチューナ部３及びＯＦＤＭ復調部４に供給する動作クロックのクロック周波数を２ｆ１以上（ゼロＩＦ方式の場合はｆ１以上）に設定するために、当該設定を指示する指示信号を当該クロック源８に供給する。これにより、階層切り替え制御部５は、選択する復調モードにあわせてクロック源８で生成される動作クロックのクロック周波数を制御する。
【０１９３】
なお、階層設定部５２には、上記復調モードに対応付けてクロック源８で生成される動作クロックのクロック周波数が記憶されている。具体的には、放送復調装置１が表１に示すデジタル放送（階層構成がワンセグ放送及び固定放送）を受信する場合、階層設定部５２には、ワンセグ放送復調モードに対応付けて、クロック源８のクロック周波数を例えば２ｆ０以上に設定するための指示情報が記憶されている。一方、階層設定部５２には、固定放送復調モードに対応付けて、クロック源８のクロック周波数を例えば２ｆ１以上に設定するための指示情報が記憶されている。
【０１９４】
一般に、回路の消費電力は、動作クロックのクロック周波数に比例する。すなわち、放送復調装置１における消費電力は、クロック源８で生成される動作クロックのクロック周波数に比例するといえる。従って、階層設定部５２は、復調モードの選択にあわせてクロック源８で生成される動作クロックのクロック周波数を変更することによって、放送復調装置１における消費電力を制御することができる。
【０１９５】
すなわち、放送復調装置１は、階層設定部５２がクロック源８で生成される動作クロックのクロック周波数を変更するので、Ｓ１での処理により、当該放送復調装置１における消費電力をワンセグ放送専用の放送復調装置と同じ値とすることができる。同様に、放送復調装置１は、Ｓ５での処理により、当該放送復調装置１における消費電力を固定放送専用の放送復調装置と同じ値とすることができる。つまり、放送復調装置１は、ワンセグ放送を復調するときには、固定放送を復調するときよりも消費電力を抑制することができる。
【０１９６】
なお、上記では、その説明を簡単にするために、放送復調装置１が単一のクロック周波数を有する動作クロックにて動作すると仮定して説明している。しかし、これに限らず、クロック源８で生成される動作クロックは異なるクロック周波数を有する複数の動作クロックであってよい。すなわち、放送復調装置１は、低消費電力化及び処理の高速化を目的として、異なるクロック周波数を有する複数の動作クロックで動作する回路構成であってもよい。
【０１９７】
また、上記では、階層設定部５２は、クロック源８で生成される動作クロックのクロック周波数が２ｆ０以上又は２ｆ１以上となるように当該クロック源８を制御している。しかし、これに限らず、実際には、階層設定部５２が制御するクロック周波数は、２ｆ０又は２ｆ１よりも低くてもよい。
【０１９８】
例えばＦＥＣ部７は、ＦＦＴ部２３で周波数多重化を解いた後（すなわちベースバンド信号に対して高速フーリエ変換を行った後）のデータ信号群における必要なキャリア情報だけを処理する。このため、ＦＥＣ部７では、２ｆ０又は２ｆ１よりも低いクロック周波数であっても処理を行うことが可能である処理もある。一方で、階層設定部５２が２ｆ０又は２ｆ１よりも低いクロック周波数を有する動作クロックを生成するようにクロック源８を制御する場合であっても、ワンセグ放送復調モードのときにＦＥＣ部７の各ブロックに供給されるクロック周波数は、固定放送復調モードのときのクロック周波数よりも低い値となる。すなわち、階層設定部５２が選択する復調モードによってクロック周波数が異なるという関係は、当該クロック周波数を２ｆ０以上又は２ｆ１以上とする場合と同じである。従って、階層設定部５２が２ｆ０又は２ｆ１よりも低いクロック周波数に設定するようにクロック源８を制御する場合であっても、上記と同様、放送復調装置１における消費電力を制御することができる。
【０１９９】
〔実施形態３〕
次に、放送復調装置１の階層切り替え制御部５によるイネーブル信号の制御について説明する。すなわち、図１において、放送復調装置１が、ＢＢ部６の各部がイネーブル信号を出力可能とするイネーブル信号線４２を当該ＢＢ部６の信号線４１と並列に備えた構成である以外は、上記で説明した放送復調装置１と同様の構成である。なお、本実施形態に係る放送復調装置についても、実施形態１、２と同一の符号を付記し、同一の機能を有する部材についてはその説明を省略する。
【０２００】
〔階層切り替え制御部５によるイネーブル信号の制御〕
本実施形態に係る放送復調装置１は、ＢＢ部６の各部がイネーブル信号を出力可能とするイネーブル信号線４２を当該ＢＢ部６の信号線４１と並列に備えた構成である。そして、階層切り替え制御部５は、実施形態１の処理に加えて、イネーブル信号線４２を介するイネーブル信号を制御するものである。すなわち、階層切り替え制御部５は、イネーブル信号の有効期間の長さを選択した階層に応じて変更するように、ＯＦＤＭ復調部４を制御するものである。ここで、イネーブル信号とは、信号線４１を介する信号の有効又は無効を示すものである。
【０２０１】
すなわち、放送復調装置１は、上記と同様、ＢＢ部６とＦＥＣ部７とを備えている。また、ＢＢ部６の各ブロックは、図１に示すように、メイン信号線である信号線４１を介して信号を出力する。信号線４１を介する信号としては、ＩＦ信号、ＢＢ信号、バイナリ信号など、各部の出力によって異なる。
【０２０２】
ここで、放送復調装置１が固定放送復調モードに設定されているときに、クロック源８が、ｆ２＞ｆ１を満たす周波数ｆ２の動作クロックを当該放送復調装置１に供給する場合を考える。このとき、クロック源８は、放送復調装置１がワンセグ放送復調モードに設定されているときも、固定放送復調モードのときと同じ周波数ｆ２の動作クロックを当該放送復調装置１に供給するものとする。
【０２０３】
また、ＢＢ部６の各ブロックは、イネーブル信号が信号線４１の信号が有効であることを示すときにのみベースバンド信号に対する処理を行う一方、無効であることを示すときにはベースバンド信号に対する処理を停止するものとする。
【０２０４】
表１に示すように、ワンセグ放送は、固定放送よりも周波数帯域幅が狭く（０．４３ＭＨｚ＜５．５７ＭＨｚ）、伝送レートも小さい（４１６ｋｂｐｓ＜１６．８Ｍｂｐｓ）。このため、放送復調装置１がワンセグ放送復調モードに設定されているときのイネーブル信号の全有効期間（トータルの有効期間）は、固定放送復調モードに設定されているときのイネーブル信号の全有効期間よりも短くなる。なお、この有効期間の短くなる程度は、周波数帯域幅又は伝送レートにおけるワンセグ放送と固定放送との比の値程度である。
【０２０５】
つまり、階層設定部５２には、イネーブル信号の有効期間の長さが、ワンセグ放送復調モード及び固定放送復調モードそれぞれについて予め設定されており、上記のように、ワンセグ放送復調モードの上記長さが固定放送復調モードの上記長さよりも短く設定されている。すなわち、階層設定部５２には、復調モードとイネーブル信号の有効期間の長さとが対応付けて記憶されている。そして、階層設定部５２は、復調モードの選択にあわせて、予め設定されたイネーブル信号の有効期間の長さへの変更指示を含む階層設定信号をＢＢ部６に供給することによって、当該長さを変更するようにＢＢ部６を制御する。
【０２０６】
さらに、クロック源８は、イネーブル信号の有効期間には、放送復調装置１を構成するデジタル回路のフリップフロップに対して動作クロックを供給する一方で、イネーブル信号の無効期間には当該動作クロックを当該フリップフロックに対して供給しない、クロックゲーティングを採用しているものとする。この場合、放送復調装置１は、無効期間に上記フリップフロップで消費される電力が削減されるため、当該放送復調装置１における消費電力をさらに削減することができる。
【０２０７】
すなわち、本実施形態に係る放送復調装置１は、上記のように、固定放送復調モードであってもワンセグ放送復調モードであっても、クロック源８が供給する動作クロックのクロック周波数はｆ２（＞ｆ１）で同一である。この場合であっても、放送復調装置１では、階層切り替え制御部５の階層設定部５２は、復調モードの選択にあわせてイネーブル信号の有効期間の長さを変更することで、当該放送復調装置１における消費電力を制御することができる。
【０２０８】
すなわち、放送復調装置１は、階層設定部５２がイネーブル信号の有効期間の長さを変更するので、Ｓ１での処理により、当該放送復調装置１における消費電力をワンセグ放送専用の放送復調装置と同じ値とすることができる。同様に、放送復調装置１は、Ｓ５での処理により、当該放送復調装置１における消費電力を固定放送専用の放送復調装置と同じ値とすることができる。つまり、放送復調装置１は、ワンセグ放送を復調するときには、固定放送を復調するときよりも消費電力を抑制することができる。
【０２０９】
〔実施形態４〕
次に、階層切り替え制御部５によるチューナ部３及びＯＦＤＭ復調部４の制御について説明する。すなわち、階層切り替え制御部５は、周波数帯域幅を考慮した値への変更指示を含めて階層設定信号をチューナ部３及びＯＦＤＭ復調部４に供給する構成以外は、上記で説明した放送復調装置１と同様の構成である。なお、本実施形態に係る放送復調装置についても、実施形態１〜３と同一の符号を付記し、同一の機能を有する部材についてはその説明を省略する。
【０２１０】
〔階層切り替え制御部５によるチューナ部３及びＯＦＤＭ復調部４の制御〕
図５に示す放送復調装置１の処理の流れにおいて、階層設定部５２は、復調モードを選択すると、当該復調モードを示す階層設定信号をチューナ部３及びＯＦＤＭ復調部４（ＢＢ部６及びＦＥＣ部７）に供給する。すなわち、階層切り替え制御部５は、選択した階層に規定された周波数帯域幅にマージンを加えた値への変更指示を、チューナ部３、ＢＢ部６及びＦＥＣ部７に対して供給するものである。
【０２１１】
このとき、階層設定部５２は、復調モードをワンセグ放送復調モードに設定する場合（Ｓ１での処理）、チューナ部３及びＯＦＤＭ復調部４が信号処理を行う周波数帯域幅を１セグメントにマージンを加えた値にするために、当該値（１セグメント＋マージン）への変更指示を含む階層設定信号を供給する。一方、階層設定部５２は、復調モードを固定放送復調モードに設定する場合（Ｓ５での処理）、チューナ部３及びＯＦＤＭ復調部４が信号処理を行う周波数帯域幅を１３セグメントにマージンを加えた値にするために、当該値（１３セグメント＋マージン）への変更指示を含む階層設定信号を供給する。
【０２１２】
なお、階層設定部５２には、上記復調モードに対応付けてチューナ部３及びＯＦＤＭ復調部４（ＢＢ部６及びＦＥＣ部７）に対する変更指示が記憶されている。具体的には、放送復調装置１が表１に示すデジタル放送（階層構成がワンセグ放送及び固定放送）を受信する場合、階層設定部５２には、ワンセグ放送復調モードに対応付けて、上記１セグメントにマージンを加えた値に設定するための指示情報が記憶されている。一方、階層設定部５２には、固定放送復調モードに対応付けて、上記１３セグメントにマージンを加えた値に設定するための指示情報が記憶されている。
【０２１３】
また、デジタル放送の受信環境、受信装置への放送復調装置１の実装などによって、デジタル放送の放送波にはキャリア周波数誤差が重畳されるので、放送復調装置１における当該放送波の信号処理の周波数帯域幅には余裕（マージン）があることが好ましい。この場合、放送復調装置１は、受信信号にキャリア周波数誤差が重畳されることを防ぐことができる。なお、このマージンは、放送復調装置１全体の許容するキャリア周波数誤差の範囲の仕様で決定されるものであり、例えば±２００ｋＨｚ程度である。このマージンは、チューナ部３、又はチューナ部３のＢＢ部６の実装方法で変わる。また、マージンを決める要因の一例としては、チューナ部３の第１のフィルタ１１、第２のフィルタ１４、及びＢＢ部６内部のデジタルフィルタの通過帯域幅が挙げられる。
【０２１４】
一般に、チューナ部３とＯＦＤＭ復調部４のＢＢ部６とで行われる信号処理において当該信号の周波数帯域幅が大きくなると、チューナ部３の消費電力と、ＢＢ部６の処理量及び消費電力とが大きくなる。また、ＯＦＤＭ復調部４のＦＥＣ部７で行われる信号処理において当該信号の周波数帯域幅又は伝送レートが大きくなると、ＦＥＣ部７の消費電力が大きくなる。
【０２１５】
上述のように、階層設定部５２がチューナ部３及びＯＦＤＭ復調部４に供給する階層設定信号には、当該チューナ部３及びＯＦＤＭ復調部４が信号処理を行う周波数帯域幅を設定するための値への変更指示が含まれる。従って、階層設定部５２は、選択する復調モードにあわせた変更指示を含む階層設定信号をチューナ部３及びＯＦＤＭ復調部４に供給することによって、当該チューナ部３とＯＦＤＭ復調部４のＢＢ部６及びＦＥＣ部７とにおける消費電力を制御することができる。
【０２１６】
すなわち、放送復調装置１は、Ｓ１での処理により、チューナ部３における消費電力をワンセグ放送専用チューナと同じ値とすることができる。同様に、放送復調装置１は、Ｓ５での処理により、チューナ部３における消費電力を固定放送専用チューナと同じ値とすることができる。また、放送復調装置１は、Ｓ１での処理により、ＢＢ部６における消費電力をワンセグ放送専用ＢＢ部と同じ値とすることができる。同様に、放送復調装置１は、Ｓ５での処理により、ＢＢ部６における消費電力を固定放送専用ＢＢ部と同じ値とすることができる。さらに、放送復調装置１は、Ｓ１での処理により、ＦＥＣ部７における消費電力をワンセグ放送専用ＦＥＣ部と同じ値とすることができる。同様に、放送復調装置１は、Ｓ５での処理により、ＦＥＣ部７における消費電力を固定放送専用ＦＥＣ部と同じ値とすることができる。
【０２１７】
つまり、放送復調装置１は、チューナ部３、ＢＢ部６及びＦＥＣ部７における消費電力を制御することによって、それぞれの場合において、ワンセグ放送を復調するときには、固定放送を復調するときよりも消費電力を抑制することができる。
【０２１８】
ここで、階層切り替え制御部５は、上記のように、１セグメント＋マージンを示す値又は１３セグメント＋マージンを示す値への変更指示を含む階層設定信号をチューナ部３に供給する。この階層切り替え制御部５による上記値への変更指示を含む階層設定信号のチューナ部３に対する供給は、例えば当該チューナ部３に備えられた第２のフィルタ１４を制御するためのものである。すなわち、階層切り替え制御部５は、第２のフィルタ１４におけるデジタル放送の受信信号の通過帯域幅を設定するために、上記変更指示をチューナ部３に供給するものである。
【０２１９】
チューナ部３の第２のフィルタ１４は、上述のように、周波数変換部１３から受信するＩＦ信号から、不要な物理チャンネルの信号を取り除き、必要な周波数成分を抽出するものである。すなわち、第２のフィルタ１４は、ＯＦＤＭ復調部４が復調するために必要な対象（信号）の周波数帯域を切り出すものである。従って、第２のフィルタ１４で設定される信号の通過帯域幅は、ワンセグ放送復調モードである場合には１セグメントよりも大きいことが好ましく、固定放送復調モードである場合には１３セグメントよりも大きいことが好ましい。
【０２２０】
図５に示す放送復調装置１の処理の流れにおいて、階層設定部５２は、チューナ部３が上記マージンを含む値に第２のフィルタ１４の通過帯域幅を設定するように制御するために、上記値への変更指示を含む階層設定信号をチューナ部３に供給する。
【０２２１】
すなわち、階層設定部５２は、復調モードをワンセグ放送復調モードに設定する場合（Ｓ１での処理）、第２のフィルタ１４の通過帯域幅を１セグメントにマージンを加えた値にするために、当該値（１セグメント＋マージン）への変更指示を含む階層設定信号を供給する。一方、階層設定部５２は、復調モードを固定放送復調モードに設定する場合（Ｓ５での処理）、第２のフィルタ１４の通過帯域幅を１３セグメントにマージンを加えた値にするために、当該値（１３セグメント＋マージン）への変更指示を含む階層設定信号を供給する。なお、この場合、階層設定部５２には、上記と同様に、上記復調モードに対応付けて第２のフィルタ１４に対する変更指示が記憶されており、マージンの値の範囲は上記と同様であるものとする。
【０２２２】
上述のように、階層設定部５２がチューナ部３に供給する階層設定信号には、当該チューナ部３の第２のフィルタ１４の通過帯域幅を設定するための値への変更指示が含まれる。従って、階層設定部５２は、選択する復調モードにあわせた変更指示を含む階層設定信号をチューナ部３に供給して第２のフィルタ１４の通過帯域幅を制御することによって、当該チューナ部３における消費電力を制御することができる。
【０２２３】
〔実施形態５〕
次に、階層切り替え制御部５によるＦＦＴ部２３の制御について説明する。すなわち、階層切り替え制御部５は、復調モードの選択にあわせてＦＦＴ部２３におけるＦＦＴ処理の処理点数を変更するための指示を含む階層設定信号をＯＦＤＭ復調部４のＦＦＴ部２３に供給する構成以外は、上記で説明した放送復調装置１と同様の構成である。なお、本実施形態に係る放送復調装置についても、実施形態１〜４と同一の符号を付記し、同一の機能を有する部材についてはその説明を省略する。
【０２２４】
なお、本実施形態において、階層切り替え制御部５は、ＦＦＴ部２３が高速フーリエ変換処理を行うときに必要とするデジタル放送の受信信号の処理点数を選択した階層に応じて変更するための変更指示を、当該ＦＦＴ部２３に対して供給するものといえる。
【０２２５】
〔階層切り替え制御部５によるＦＦＴ部２３の制御〕
ＯＦＤＭ復調部４に備えられたＦＦＴ部２３は、上述のように、ＦＦＴ処理を行うことにより、送信側にてＯＦＤＭ変調により周波数多重された信号から各キャリア情報を抽出するものである。ここではまず、ＦＦＴ部２３における具体的な構成及び処理について図７を用いて説明する。図７は、ＦＦＴ部２３におけるＦＦＴ処理を説明するための図であり、同図（ａ）は、ＦＦＴ部２３の構成および処理の流れを示す図であり、同図（ｂ）は、同図（ａ）のバタフライ処理を示す図である。
【０２２６】
上記非特許文献２によれば、以下の式（５）に示すようなサンプリング点でのフーリエ変換処理は、離散フーリエ変換（ＤＦＴ：Discrete Fourier Transform）処理と呼ばれる。ＤＦＴとは、離散群上のフーリエ変換であり、一般に信号処理などで離散化されたデジタル信号の周波数解析を行ったり、偏微分方程式又は畳み込み積分を効率的に計算するために用いられるものである。なお、式（５）におけるＮは、上記信号に含まれる全キャリア数である。
【０２２７】
ＦＦＴ部２３は、ＤＦＴ処理を行うことで、時間軸上のデータ列ｘ（ｎ）の各周波数成分Ｘ（ｋ）を計算する。なお、ＤＦＴ処理の定義によっては、式（５）に規格化因子が乗じられる場合もある。また、ＦＦＴ部２３は、以下の式（６）に示す位相回転因子の対称性を利用して複素乗算の処理数を減らすことによって、ＤＦＴ処理の高速処理（以下、ＦＦＴ処理と称す）を実現している。
【０２２８】
【数５】
2010034854.tif 000008
【０２２９】
【数６】
2010034854.tif 000009
【０２３０】
具体的には、ＦＦＴ部２３は、図７（ａ）に示すように、バタフライ処理部９０、位相回転因子乗算部９１及びビットリバース処理部９２で構成されており、図７（ａ）に示す処理の流れによりＦＦＴ処理を実現している。なお、図７（ａ）に示すＦＦＴ部２３は、キャリア数Ｎ＝８である周波数間引き型のＦＦＴ処理を行うものとする。
【０２３１】
ＦＦＴ部２３は、キャリア数Ｎ＝８のＦＦＴ処理では、図７（ａ）で示すように、３段（Ｓｔａｇｅ０〜２）のバラフライ処理部９０で構成される。バタフライ処理部９０は、図７（ｂ）に示すように、２入力成分（入力される２つの信号）の和と差とを出力するものである。
【０２３２】
位相回転因子乗算部９１は、バタフライ処理部９０から出力される信号に対して、式（７）に示す回数だけ複素数である位相回転因子ＷＮｍを乗じることによって、当該信号の位相を−２πｍ／Ｎだけシフトさせるものである。キャリア数ＮのＦＦＴ処理では、一般に、
【０２３３】
【数７】
2010034854.tif 000010
【０２３４】
回だけ位相回転因子ＷＮｍの複素乗算処理を必要とする。つまり、キャリア数Ｎが大きくなると、ＦＦＴ部２３で行う複素乗算処理も増大するため、当該ＦＦＴ部２３における消費電力も増大することとなる。
【０２３５】
ビットリバース処理部９２は、バタフライ処理部９０又は位相回転因子乗算部９１で処理された信号に対してビットリバース処理を行うものである。ここで、ビットリバース処理とは、ビット順序の反転を行うものであり、例えば最上位ビットを最下位ビットとして出力を行うことである。
【０２３６】
ここで、ＦＦＴ部２３の回路実装の方式としては、例えばＦＦＴ処理に必要なバタフライ処理部９０を全て並列に並べてパイプライン処理を行うように実装されたパイプライン方式が挙げられる。また、この他にも上記方式としては、ＦＦＴ処理の基準サンプリングクロックの逓倍クロックを用いてＦＦＴ部２３を構成する回路を動作させるように実装された逓倍クロック方式もある。この場合には、ＦＦＴ部２３は、１個もしくは数個のバタフライ処理部９０（バタフライ回路）と、各段でのバタフライ処理部９０におけるバタフライ処理のデータを記憶するＲＡＭ（Random Access Memory）と、上記式（６）の位相回転因子ＷＮｍを記憶するＬＵＴ（Look Up Table）とで構成される。
【０２３７】
上記パイプライン方式は、上記逓倍クロックに比べて動作クロック周波数が低いという長所があるが、回路規模が圧倒的に大きくなるという短所がある。一般に、デジタル回路の消費電力は、動作クロック周波数と回路規模との両方で決まるので、パイプライン方式及び逓倍クロック方式における消費電力は、ほぼ同等であるといえる。
【０２３８】
ワンセグ放送と固定放送とで同じ番組放送を流す場合、当該放送波に含まれるキャリア間隔は同じとなるが、周波数帯域幅に関しては表１に示すように異なる。すなわち、ワンセグ放送を示す階層と固定放送を示す階層とではキャリア数が異なる。放送復調装置１が表１に示すワンセグ放送及び固定放送を復調する場合、ＦＦＴ部２３は、ワンセグ放送の場合には例えば処理点数が１０２４のＦＦＴ処理、固定放送の場合には例えば処理点数が８１９２のＦＦＴ処理を採用することになる。つまり、ＦＦＴ部２３は、固定放送のときの信号に対してＦＦＴ処理を行う場合には、式（７）より位相回転因子ＷＮｍを用いた複素乗算処理の回数が約１０倍となり、その分ＦＦＴ部２３における消費電力も大きくなる。
【０２３９】
従って、放送復調装置１では、階層切り替え制御部５の階層設定部５２は、復調モードの選択にあわせてＦＦＴ部２３におけるＦＦＴ処理の処理点数を変更することによって、ＦＦＴ部２３における消費電力を制御することができる。具体的には、階層設定部５２は、当該復調モードとしてワンセグ放送復調モードを選択した場合には、ＦＦＴ部２３におけるＦＦＴ処理の処理点数１０２４を示す値への変更指示を含む階層設定信号をＢＢ部６に供給する。一方、階層設定部５２は、当該復調モードとして固定放送復調モードを選択した場合には、ＦＦＴ部２３におけるＦＦＴ処理の処理点数８１９２を示す値への変更指示を含む階層設定信号をＢＢ部６に供給する。ＢＢ部６がこの処理点数への変更指示を含む階層設定信号を受信すると、ＦＦＴ部２３は、当該処理点数の設定を行う。
【０２４０】
つまり、放送復調装置１は、階層設定部５２がＦＦＴ部２３におけるＦＦＴ処理の処理点数を変更するので、Ｓ１での処理で上記処理点数１０２４とすることにより、当該ＦＦＴ部２３における消費電力をワンセグ放送専用ＦＦＴ部と同じ値とすることができる。同様に、放送復調装置１は、Ｓ５での処理で上記処理点数８１９２とすることにより、当該ＦＦＴ部２３における消費電力をワンセグ放送専用ＦＦＴ部と同じ値とすることができる。つまり、放送復調装置１は、ワンセグ放送を復調するときには、固定放送を復調するときよりも消費電力を抑制することができる。
【０２４１】
なお、階層設定部５２には、上記復調モードに対応付けてＦＦＴ部２３に対する変更指示が記憶されている。具体的には、放送復調装置１が表１に示すデジタル放送（階層構成がワンセグ放送及び固定放送）を受信する場合、階層設定部５２には、ワンセグ放送復調モードに対応付けて、例えば上記処理点数１０２４を示す値に設定するための指示情報が記憶されている。一方、階層設定部５２には、固定放送復調モードに対応付けて、例えば上記処理点数８１９２を示す値に設定するための指示情報が記憶されている。
【０２４２】
また、ＦＦＴ部２３が逓倍クロック方式を採用する場合、当該ＦＦＴ部２３はＲＡＭを備えている。この場合には、上記ＲＡＭは、復調モードによってＦＦＴ処理に必要な容量が異なる。
【０２４３】
そこで、ＦＦＴ部２３がＲＡＭを備える構成の場合には、上記ＲＡＭを複数に分割して構成し、復調モードによって使用するＲＡＭの個数を変更してもよい。この場合、階層切り替え制御部５の階層設定部５２は、復調モードの選択にあわせてＦＦＴ部２３を構成するＲＡＭの個数も変更するように制御してもよい。すなわち、階層設定部５２は、ＦＦＴ部２３での処理に適用するＲＡＭを指定する値への変更指示を含む階層設定信号をＢＢ部６に供給する。なお、この場合、階層設定部５２には、上記復調モードに対応付けて、ＲＡＭの個数を指定するための指示情報が記憶されている。また、ＢＢ部６がこの階層設定信号を受信すると、ＦＦＴ部２３は、利用しないＲＡＭがある場合には当該ＲＡＭに動作クロックを供給しないクロックゲーティング処理を行う。
【０２４４】
これにより、放送復調装置１では、階層設定部５２が復調モードにあわせてＦＦＴ部２３での処理に適用するＲＡＭを指定することができるので、当該ＦＦＴ部２３における消費電力を低減することができる。
【０２４５】
〔実施形態６〕
次に、階層切り替え制御部５による波形等化部２４の制御について説明する。すなわち、階層切り替え制御部５は、復調モードの選択にあわせて波形等化部２４における波形等化処理の処理キャリア数を変更するための指示を含む階層設定信号をＯＦＤＭ復調部４の波形等化部２４に供給する構成以外は、上記で説明した放送復調装置１と同様の構成である。なお、本実施形態に係る放送復調装置についても、実施形態１〜５と同一の符号を付記し、同一の機能を有する部材についてはその説明を省略する。
【０２４６】
なお、本実施形態において、階層切り替え制御部５は、波形等化部２４が波形等化処理を行うときに必要となるデジタル放送の受信信号の処理キャリア数を選択した階層に応じて変更するための変更指示を、当該波形等化部２４に供給するものといえる。
【０２４７】
〔階層切り替え制御部５による波形等化部２４の制御〕
波形等化部２４は、上述のように、ＳＰキャリアに基づいてデータキャリアの補正（波形等化処理）を行うものである。すなわち、波形等化部２４は、デジタル放送の受信信号に含まれるＳＰ信号（パイロット信号）に基づいて、当該デジタル放送の受信信号に含まれるデータ信号に対する波形等化処理を行うものといえる。
【０２４８】
ここではまず、波形等化部２４における波形等化処理について図８を用いて説明する。図８は、波形等化部２４における波形等化処理を説明するための図であり、同図（ａ）は、ＳＰ信号６１およびデータ信号６２の送信側におけるコンスタレーションを示す図であり、同図（ｂ）は、同図（ａ）と同じＳＰ信号６１およびデータ信号６２の受信側（波形等化処理前）におけるコンスタレーションを示す図であり、同図（ｃ）は、同図（ｂ）と同じＳＰ信号６１およびデータ信号６２の波形等化処理後のコンスタレーションを示す図である。
【０２４９】
図８（ａ）に示すＳＰ信号６１およびデータ信号６２を含む放送波は、送信側から通信路を経て放送復調装置１に供給されると、当該通信路でのフェージングなどの障害を受けるため、図８（ｂ）に示すように歪んでしまう。なお、図８（ｂ）では、上記放送波の位相のみが回転する歪みを生じている場合について例示したが、当該放送波には、振幅が変化する歪み、又は、振幅及び位相の双方が変化する歪みも当然ながら生じ得る。
【０２５０】
図８（ａ）に示すＳＰ信号６１のコンスタレーションは送信側で予め定められている。このため、波形等化部２４は、図８（ｂ）に示すＳＰ信号６１の放送復調装置１（受信側）におけるＳＰ信号６１のコンスタレーションを、既知のＳＰ信号６１のコンスタレーション（すなわち波形等化部２４に予め設定されたＳＰ信号６１のコンスタレーション）と比較することによって、上記通信路の伝達関数を推定する。そして、波形等化部２４は、この推定した伝達関数でデータ信号６２を複素除算することによって、データ信号６２のコンスタレーションを補正する。これにより、波形等化部２４は、図８（ｃ）に示すように、データ信号６２の送信側におけるコンスタレーションを復元することができる。すなわち、放送復調装置１では、波形等化部２４による波形等化処理によって、上記通信路で生じたフェージングの影響をデータ信号６２から取り除くことができる。
【０２５１】
ここで、波形等化部２４は、放送復調装置１が受信する放送波の全データキャリアについて、上述のような波形等化処理を行う。このため、波形等化部２４での処理量及び消費電力は、受信する放送波に含まれる１シンボル当たりのキャリア数に比例する。放送復調装置１が表１に示すデジタル放送を受信する場合、当該デジタル放送に含まれる１シンボル当たりのキャリア数は、ワンセグ放送では４３２キャリア、固定放送ではワンセグ放送の１２倍にあたる５１８４キャリアとなる。
【０２５２】
このため、放送復調装置１では、階層切り替え制御部５の階層設定部５２は、復調モードの選択にあわせて波形等化部２４で波形等化処理する処理キャリア数を変更することで、当該波形等化部２４における消費電力を制御することができる。具体的には、階層設定部５２は、当該復調モードとしてワンセグ放送復調モードを選択した場合には、波形等化部２４において波形等化処理する処理キャリア数４３２を示す値への変更指示を含む階層設定信号をＢＢ部６に供給する。一方、階層設定部５２は、当該復調モードとして固定放送復調モードを選択した場合には、波形等化部２４において波形等化処理する処理キャリア数５１８４を示す値への変更指示を含む階層設定信号をＢＢ部６に供給する。ＢＢ部６が上記処理キャリア数を含む階層設定信号を受信すると、波形等化部２４は、当該処理キャリア数の設定を行う。
【０２５３】
すなわち、放送復調装置１は、階層設定部５２が波形等化部２４における波形等化処理の処理キャリア数を変更するので、Ｓ１での処理で上記処理キャリア数を４３２とすることにより、当該波形等化部２４における消費電力をワンセグ放送専用波形等化部と同じ値とすることができる。同様に、放送復調装置１は、Ｓ５での処理で上記処理キャリア数を５１８４とすることにより、当該波形等化部２４における消費電力を固定放送専用波形等化部と同じ値とすることができる。つまり、放送復調装置１は、ワンセグ放送を復調するときには、固定放送を復調するときよりも消費電力を抑制することができる。
【０２５４】
なお、階層設定部５２には、上記復調モードに対応付けて波形等化部２４に対する変更指示が記憶されている。具体的には、放送復調装置１が表１に示すデジタル放送（階層構成がワンセグ放送及び固定放送）を受信する場合、階層設定部５２には、ワンセグ放送復調モードに対応付けて、例えば上記処理キャリア数４３２を示す値に設定するための指示情報が記憶されている。一方、階層設定部５２には、固定放送復調モードに対応付けて、例えば上記処理キャリア数５１８４を示す値に設定するための指示情報が記憶されている。
【０２５５】
また、波形等化部２４が上記伝達関数の推定に補間処理又は適応信号処理を採用する場合、当該推定を行うのに数シンボル分の処理時間を要する場合がある。そこで、波形等化部２４は、上記推定の処理時間中にＳＰ信号及びデータ信号を記憶しておくためのＲＡＭを有する構成であってもよい。この場合、上記ＲＡＭは、表１に示すように処理キャリア数が異なるので、復調モードによって、波形等化部２４における波形等化処理に必要な容量が異なる。
【０２５６】
そこで、波形等化部２４がＲＡＭを備える構成の場合には、上記ＲＡＭを複数に分割して構成し、復調モードによって使用するＲＡＭの個数を変更してもよい。この場合、階層切り替え制御部５の階層設定部５２は、復調モードの選択にあわせて波形等化部２４を構成するＲＡＭの個数も変更するように制御してもよい。すなわち、階層設定部５２は、波形等化部２４での処理に適用するＲＡＭを指定する値への変更指示を含む階層設定信号をＢＢ部６に供給する。なお、この場合、階層設定部５２には、上記復調モードに対応付けて、ＲＡＭの個数を指定するための指示情報が記憶されている。また、ＢＢ部６がこの階層設定信号を受信すると、波形等化部２４は、利用しないＲＡＭがある場合には当該ＲＡＭに動作クロックを供給しないクロックゲーティング処理を行う。
【０２５７】
これにより、放送復調装置１では、階層設定部５２が復調モードにあわせて波形等化部２４での処理に適用するＲＡＭを指定することができるので、当該波形等化部２４における消費電力を低減することができる。
【０２５８】
〔実施形態７〕
次に、階層切り替え制御部５による周波数デインターリーブ部３２、時間デインターリーブ部３３及びバイトデインターリーブ部３６の制御について説明する。すなわち、例えば階層切り替え制御部５は、復調モードの選択にあわせて時間デインターリーブ部３３で処理する処理キャリア数を変更するための指示を含む階層設定信号をＯＦＤＭ復調部４の時間デインターリーブ部３３に供給する構成以外は、上記で説明した放送復調装置１と同様の構成である。なお、本実施形態に係る放送復調装置についても、実施形態１〜６と同一の符号を付記し、同一の機能を有する部材についてはその説明を省略する。
【０２５９】
なお、本実施形態において、階層切り替え制御部５は、周波数デインターリーブ部３２、時間デインターリーブ部３３及びバイトデインターリーブ部３６が各デインターリーブ処理を行うときに必要となるデジタル放送の受信信号の処理キャリア数を選択した階層に応じて変更するための変更指示を、当該各部に供給するものといえる。
【０２６０】
〔階層切り替え制御部５によるデインターリーブ３２、３３、３６の制御〕
図２に示すように、ＦＥＣ部７は、周波数デインターリーブ部３２、時間デインターリーブ部３３及びバイトデインターリーブ部３６を備えている。これら各部は、送信側でインターリーブ処理が行われた放送波に対してデインターリーブ処理を行い、当該放送波の復元を行うものである。すなわち、これら各部は、ベースバンドＯＦＤＭ信号に対して各デインターリーブ処理を行うものといえる。
ここではまず、時間デインターリーブ部３３の処理について図９を用いて説明する。図９は、送信側で行われる時間インターリーブ処理と、放送復調装置１の時間デインターリーブ部３３で行われる時間デインターリーブ処理の一例を示す説明するための図である。
【０２６１】
送信側に備えられた時間インターリーブ部７０は、図９に示すように、送信側から放送復調装置１に送信するデータの並べ替えを行うものである。一方、時間デインターリーブ部３３は、図９に示すように、上記時間インターリーブ部７０の逆処理を行うものである。また、時間インターリーブ部７０及び時間デインターリーブ部３３は、同一キャリアでのシンボル（時間）軸上の並べ替えである。
【０２６２】
時間インターリーブ部７０は、キャリアごとに遅延量（図９では遅延素子７３で示される）が異なるＦＩＦＯ７２で構成されている。このＦＩＦＯ７２は、一般にＲＡＭで構成されている。図９に示すＦＩＦＯ７２の遅延量はキャリアごとに異なるが、時間インターリーブ部７０及び時間デインターリーブ部３３での両処理によるトータル（全キャリア）の遅延量は同じとなる。
【０２６３】
表１に示すデジタル放送では、上述のように、固定放送のキャリア数はワンセグ放送のキャリア数の１２倍である。このため、時間デインターリーブ部３３では、固定放送復調モードである場合に処理に必要なＲＡＭ領域は、ワンセグ放送復調モードの場合に必要なＲＡＭ領域の１２倍となり、それに応じて消費電力も増大する。
【０２６４】
そこで、時間デインターリーブ部３３がＲＡＭを備える構成の場合には、上記ＲＡＭを複数に分割して構成し、復調モードによって使用するＲＡＭの個数を変更する。この場合、階層切り替え制御部５の階層設定部５２は、復調モードの選択にあわせて時間デインターリーブ部３３を構成するＲＡＭの個数も変更するように制御する。すなわち、階層設定部５２は、時間デインターリーブ部３３での処理に適用するＲＡＭを指定する値への変更指示を含む階層設定信号をＢＢ部６に供給する。なお、この場合、階層設定部５２には、上記復調モードに対応付けて、ＲＡＭの個数を指定するための指示情報が記憶されている。また、ＢＢ部６がこの階層設定信号を受信すると、時間デインターリーブ部３３は、利用しないＲＡＭがある場合には当該ＲＡＭに動作クロックを供給しないクロックゲーティング処理を行う。
【０２６５】
これにより、放送復調装置１では、階層設定部５２が復調モードにあわせて時間デインターリーブ部３３での処理に適用するＲＡＭを指定することができるので、当該時間デインターリーブ部３３における消費電力を低減することができる。
【０２６６】
また、放送復調装置１では、階層切り替え制御部５の階層設定部５２は、復調モードの選択にあわせて時間デインターリーブ部３３で処理する処理キャリア数を変更することで、当該時間デインターリーブ部３３における消費電力を制御してもよい。具体的には、階層設定部５２は、当該復調モードとしてワンセグ放送復調モードを選択した場合には、時間デインターリーブ部３３において処理する処理キャリア数４３２を示す値への変更指示を含む階層設定信号をＢＢ部６に供給する。一方、階層設定部５２は、当該復調モードとして固定放送復調モードを選択した場合には、時間デインターリーブ部３３において処理する処理キャリア数５１８４を示す値への変更指示を含む階層設定信号をＢＢ部６に供給する。ＢＢ部６が上記処理キャリア数を含む階層設定信号を受信すると、時間デインターリーブ部３３は、当該処理キャリア数の設定を行う。
【０２６７】
すなわち、放送復調装置１は、階層設定部５２が時間デインターリーブ部３３における処理の処理キャリア数を変更するので、Ｓ１での処理で上記処理キャリア数を４３２とすることにより、当該時間デインターリーブ部３３における消費電力をワンセグ放送専用時間デインターリーブ部と同じ値とすることができる。同様に、放送復調装置１は、Ｓ５での処理で上記処理キャリア数を５１８４とすることにより、当該時間デインターリーブ部３３における消費電力を固定放送専用時間デインターリーブ部と同じ値とすることができる。つまり、復調装置は、ワンセグ放送を復調するときには、固定放送を復調するときよりも消費電力を抑制することができる。
【０２６８】
なお、階層設定部５２には、上記復調モードに対応付けて時間デインターリーブ部３３に対する変更指示が記憶されている。具体的には、放送復調装置１が表１に示すデジタル放送（階層構成がワンセグ放送及び固定放送）を受信する場合、階層設定部５２には、ワンセグ放送復調モードに対応付けて、例えば上記処理キャリア数４３２を示す値に設定するための指示情報が記憶されている。一方、階層設定部５２には、固定放送復調モードに対応付けて、例えば上記処理点数５１８４を示す値に設定するための指示情報が記憶されている。
【０２６９】
また、上記では、時間デインターリーブ部３３を例に説明したが、周波数デインターリーブ部３２及びバイトデインターリーブ部３６についても同様の制御で、同様の効果を得ることが可能である。
【０２７０】
〔補足〕
最後に、本実施形態に係る放送復調装置１の各ブロック、特にチューナ部３、ＯＦＤＭ復調部４、階層切り替え制御部５の切り替え判定部５１及び階層設定部５２は、ハードウェアロジックによって構成してもよいし、次のようにＣＰＵを用いてソフトウェアによって実現してもよい。
【０２７１】
すなわち、本実施形態に係る放送復調装置１は、各機能を実現する制御プログラムの命令を実行するＣＰＵ（Central Processing Unit）、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである放送復調装置１の制御プログラムのプログラムコード（実行形式プログラム、中間コードプログラム、ソースプログラム）をコンピュータで読み取り可能に記録した記録媒体を、上記放送復調装置１に供給し、そのコンピュータ（またはＣＰＵやＭＰＵ）が記録媒体に記録されているプログラムコードを読み出し実行することによっても、達成可能である。
【０２７２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２７３】
また、本実施形態に係る放送復調装置１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２７４】
〔本発明の別の表現〕
なお、本発明は、以下のようにも表現できる。
【０２７５】
（ＯＦＤＭ復調装置の制御）
本発明のデジタル放送復調装置（放送復調装置）は、同一チャンネル内で１以上の階層サービスが存在するデジタル放送を復調するデジタル放送復調装置において、前記デジタル放送の受信信号から選局チャンネルを抜き出して出力する一つの選局処理手段と、前記周波数選局手段により選局されたチャンネル内の階層の復調を行う一つの復調処理手段と、復調した階層の受信品質を判定し複数の階層のうち復調する階層を選択する受信品質判定手段とを具備し、前デジタル放送復調装置は前記受信品質判定手段が選択した受信階層に応じて復調アルゴリズムを変えることを特徴としている。
【０２７６】
（閾値で判定）
また、本発明のデジタル放送復調装置において、前記受信品質判定手段は受信品質としてＭＥＲ値を検出する機能と閾値が設定できる機能を有し、前記受信品質判定手段は検出したＭＥＲ値と閾値を比較することで受信階層を選択してもよい。
【０２７７】
（ＭＥＲ値の関数で判定）
また、本発明のデジタル放送復調装置において、前記受信品質判定手段は検出したＭＥＲ値から判定指数を算出する機能を具備し、前記受信品質判定手段は検出した判定指数と閾値を比較することで受信階層を選択してもよい。
【０２７８】
（クロック周波数の制御）
また、本発明のデジタル放送復調装置は、クロック源を具備し、前記受信品質判定手段が選択した受信階層に応じてクロック源のクロック周波数を変更してもよい。
【０２７９】
（イネーブル信号の制御）
また、本発明のデジタル放送復調装置は、ＯＦＤＭ復調処理手段を具備し、前記ＯＦＤＭ手段は信号線と前記ベースバンド信号の有効・無効を指示するイネーブル信号線を具備し、前記受信品質判定手段が選択した受信階層に応じて前記イネーブル信号の変化タイミングを変えてもよい。
【０２８０】
（チューナの制御）
また、本発明のデジタル放送復調装置は、前記選局処理手段は前記受信品質判定手段が選択した受信階層に応じて処理を変えてもよい。
【０２８１】
（ＢＢ部の制御）
また、本発明のデジタル放送復調装置において、前記復調処理手段はベースバンド信号処理手段を具備し、前記ベースバンド信号処理手段は前記受信品質判定手段が選択した受信階層に応じて処理アルゴリズムを変えてもよい。
【０２８２】
（ＦＥＣ部の制御）
また、本発明のデジタル放送復調装置において、前記復調処理手段は誤り訂正処理手段を具備し、前記誤り訂正処理手段は前記受信品質判定手段が選択した受信階層に応じて処理アルゴリズムを変えてもよい。
【０２８３】
（チューナ内フィルタの制御）
また、本発明のデジタル放送復調装置において、前記選局処理手段はフィルタ手段を具備し、前記フィルタ手段は前記受信品質判定手段が選択した受信階層に応じて通過帯域幅を変更してもよい。
【０２８４】
（ＢＢ部のＦＦＴの制御）
また、本発明のデジタル放送復調装置において、前記ベースバンド信号処理手段は周波数多重化された信号を復調するための高速フーリエ変換手段を具備し、前記高速フーリエ変換手段は前記受信品質判定手段が選択した受信階層に応じて処理キャリア数を変更してもよい。
【０２８５】
（ＢＢ部の波形等化の制御）
また、本発明のデジタル放送復調装置において、前記ベースバンド信号処理手段はデータとともに多重化されたパイロット信号を元に波形等化処理を行なう波形等化手段を具備し、前記波形等化手段は前記受信品質判定手段が選択した受信階層に応じて処理キャリア数を変更してもよい。
【０２８６】
（ＦＥＣ部のデインターリーブの制御）
また、本発明のデジタル放送復調装置において、前記誤り訂正処理手段はデインターリーブ手段を具備し、前記デインターリーブ手段は前記受信品質判定手段が選択した受信階層に応じて処理キャリア数を変更してもよい。
【０２８７】
（復調方法）
また、本発明のデジタル放送の復調方法は、同一チャンネル内で１以上の階層サービスが存在するデジタル放送を復調するデジタル放送の復調方法であって、前記デジタル放送の受信信号から選局チャンネルを抜き出して出力する周波数選局工程と、前記周波数選局工程により選局されたチャンネル内の階層の復調を行う復調工程と、復調した階層の受信品質を判定し複数の階層のうち復調する階層を選択する受信品質判定工程と、前記復調工程は前記受信品質判定手段が選択した受信階層の復調アルゴリズムを実行することを特徴としている。
【０２８８】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２８９】
本発明に係る放送復調装置は、回路規模を大きくせずに、かつ消費電力を抑制して、デジタル放送の最適な階層を選択して復調することができるので、デジタル放送を階層ごとに復調する放送復調装置を有する受信装置に適用することができる。特に、本発明に係る放送復調装置は、上記受信装置のうち、小型な受信装置である携帯型受信装置（例えば携帯電話機、ＰＤＡなど）に適用することが有効である。また、本発明に係る放送復調装置は、ＯＦＤＭ伝送方式に従って信号を受信して復調する装置、例えば、無線ＬＡＮのための復調装置、ＢＳデジタル放送又はＣＳデジタル放送を受信するための復調装置、ケーブルテレビ放送を受信するための復調装置などに対しても適用することができる。
【図面の簡単な説明】
【０２９０】
【図１】本発明に係る放送復調装置の概略構成を示すブロック図である。
【図２】図１に示す放送復調装置に備えられたチューナ部の概略構成を示すブロック図である。
【図３】図１に示す放送復調装置に備えられたＦＥＣ部の概略構成を示すブロック図である。
【図４】図１に示す受信品質検出部（変調方式がＱＰＳＫ方式の場合）におけるＭＥＲ値の計算方法を説明するための図である。
【図５】ワンセグ放送と固定放送とからなるデジタル放送を図１に示す放送復調装置が受信した場合の当該放送復調装置における処理の流れを示すフローチャートである。
【図６】ＭＥＲ値の経時変化を示すグラフを用いた図１に示す階層切り替え制御部での切り替え制御の一例を示す図であり、同図（ａ）は、階層切り替え制御部が１つの閾値にて復調モードの切り替えを行う場合を示す図であり、同図（ｂ）は、階層切り替え制御部５が２つの閾値ａ、ｂにて復調モードの切り替えを行う場合を示す図である。
【図７】図１に示すＦＦＴ部におけるＦＦＴ処理を説明するための図であり、同図（ａ）は、ＦＦＴ処理部の構成および処理の流れを示す図であり、同図（ｂ）は、同図（ａ）のバタフライ処理を示す図である。
【図８】図１に示す波形等化部における波形等化処理を説明するための図であり、同図（ａ）は、ＳＰ信号およびデータ信号の送信側におけるコンスタレーションを示す図であり、同図（ｂ）は、同図（ａ）と同じＳＰ信号６１およびデータ信号６２の受信側（波形等化処理前）におけるコンスタレーションを示す図であり、同図（ｃ）は、同図（ｂ）と同じＳＰ信号６１およびデータ信号６２の波形等化処理後のコンスタレーションを示す図である。
【図９】送信側で行われる時間インターリーブ処理と、図１に示す放送復調装置の時間デインターリーブ部で行われる時間デインターリーブ処理の一例を示す説明するための図である。
【図１０】ＯＦＤＭにおける階層構造を説明するための図である。
【図１１】従来技術を示すものであり、デジタル放送受信装置の概略構成を示すブロック図である。
【符号の説明】
【０２９１】
１    放送復調装置（復調装置）
３    チューナ部（選局処理手段）
４    ＯＦＤＭ復調部（復調処理手段）
５    階層切り替え制御部（階層制御手段）
６    ベースバンド信号処理部（ベースバンド信号処理手段）
７    誤り訂正処理部（誤り訂正処理手段）
８    クロック源
１４  第２のフィルタ（フィルタ）
２３  高速フーリエ変換部（高速フーリエ変換手段）
２４  波形等化部（波形等化手段）
２９  受信品質検出部（受信品質検出手段）
３２  周波数デインターリーブ部（デインターリーブ手段）
３３  時間デインターリーブ部（デインターリーブ手段）
３６  バイトデインターリーブ部（デインターリーブ手段）
５１  切り替え判定部（判定手段）
５２  階層設定部（階層設定手段）
【図１】
2010034854.tif 000011
【図２】
2010034854.tif 000012
【図３】
2010034854.tif 000013
【図４】
2010034854.tif 000014
【図５】
2010034854.tif 000015
【図６】
2010034854.tif 000016
【図７】
2010034854.tif 000017
【図８】
2010034854.tif 000018
【図９】
2010034854.tif 000019
【図１０】
2010034854.tif 000020
【図１１】
2010034854.tif 000021